(57)【要約】  ネットワークノードは、第１の信号において無線デバイスに提供されるダウンリンク制御情報をスケジュールするダウンリンク制御チャネルの送信のための第１の送信パラメータを判定し、１つ又は複数の第２の信号において無線デバイスに提供されるダウンリンク制御情報のためのダウンリンク制御チャネルスケジューリングの送信のために第１の送信パラメータ或いは１つ又は複数の異なる第２の送信パラメータのいずれかを選択する。リソースの柔軟性及び効率的使用を可能にするために、基地局によって送られる第１の信号は、１つ又は複数の第２の送信パラメータ並びに第２の信号のための選択された送信パラメータを示す。１つの例示的実施形態において、第１の及び第２の送信パラメータは、第１の及び第２の制御リソースセット（ＣＯＲＥＳＥＴ）設定を含む。別の例示的実施形態において、第１の及び第２の送信パラメータは、第１の及び第２の探索空間を含む。【選択図】図４
2021503776.tif 000002
【特許請求の範囲】
【請求項１】
ネットワークノード（５００、６００）によって無線デバイスに送信される信号を受信するために無線デバイス（３００、４００）によって実行される方法（２００）であって、
第１の信号に含まれるダウンリンク制御情報のダウンリンク制御チャネルスケジューリングをモニタするための第１の時間及び／又は周波数リソースを規定する第１の送信パラメータに従って設定された少なくとも１つの受信器（３２０、４１０）を使用して前記第１の信号を受信すること（２１０）であって、前記第１の信号が、
前記第１の送信パラメータとはそれぞれ異なる、１つ又は複数の第２の送信パラメータであって、１つ又は複数の第２の信号に含まれる前記ダウンリンク制御チャネルの前記ダウンリンク制御チャネルスケジューリングをモニタするための異なる第２の時間及び／又は周波数リソースをそれぞれ規定する、１つ又は複数の第２の送信パラメータ、及び、
前記第１の送信パラメータ或いは前記１つ又は複数の第２の信号のうちのそれぞれの信号の前記１つ又は複数の第２の送信パラメータの、前記ネットワークノード（５００、６００）による、選択を指示する設定指示
を含む、第１の信号を受信すること（２１０）と、
前記設定指示に応答して前記第１の送信パラメータ或いは前記１つ又は複数の第２の送信パラメータに従って前記１つ又は複数の第２の信号のそれぞれを受信するために前記無線デバイス（３００、４００）内の少なくとも１つの受信器（３２０、４１０）を設定すること（２２０）と、
前記設定指示に応答して設定された前記少なくとも１つの受信器（３２０、４１０）を使用して前記１つ又は複数の第２の信号を受信すること（２３０）と、
を含む、方法（２００）。
【請求項２】
前記第１の送信パラメータが、第１の制御リソースセット（ＣＯＲＥＳＥＴ）設定を含み、
前記１つ又は複数の第２の送信パラメータのうちの少なくとも１つが、前記第１のＣＯＲＥＳＥＴ設定とは異なる第２のＣＯＲＥＳＥＴ設定を含む、
請求項１に記載の方法（２００）。
【請求項３】
前記第１の送信パラメータが、第１の探索空間設定を含み、
前記１つ又は複数の第２の送信パラメータのうちの少なくとも１つが、前記第１の探索空間設定とは異なる第２の探索空間設定を含む、
請求項１に記載の方法（２００）。
【請求項４】
前記設定指示が、前記１つ又は複数の第２の信号のそれぞれのための前記選択された送信パラメータを表す１つ又は複数のビットを含む設定フラグセットを含む、請求項１から３のいずれか一項に記載の方法（２００）。
【請求項５】
前記設定フラグセットが、前記第１の送信パラメータ或いはすべての前記１つ又は複数の第２の信号についての前記１つ又は複数の第２の送信パラメータの選択を示す単一のビットを含む、請求項４に記載の方法（２００）。
【請求項６】
前記設定フラグセットの各ビット位置が、前記１つ又は複数の第２の信号のうちの異なる１つに対応する、請求項４に記載の方法（２００）。
【請求項７】
前記設定フラグセットの前記１つ又は複数のビットが、前記１つ又は複数の第２の信号のそれぞれのための前記選択された送信パラメータを示す複数の値を規定する、請求項４に記載の方法（２００）。
【請求項８】
前記設定指示が、黙示的設定指示を含む、請求項１から３のいずれか一項に記載の方法。
【請求項９】
前記黙示的設定指示が、前記１つ又は複数の第２の信号のそれぞれについての前記第１の送信パラメータの前記選択を指示するための明示的フラグ又はビットの省略を含む、請求項８に記載の方法（２００）。
【請求項１０】
前記第１の信号に含まれる前記ダウンリンク制御情報が、残余最小システム情報（ＲＭＳＩ）を含む、請求項１から８のいずれか一項に記載の方法（２００）。
【請求項１１】
前記第２の信号に含まれる前記ダウンリンク制御情報が、
ページング情報、及び／又は、
他のシステム情報（ＯＳＩ）及び／又は、
ランダムアクセス応答（ＲＡＲ）情報
を含む、請求項１から１０のいずれか一項に記載の方法（２００）。
【請求項１２】
前記１つ又は複数の第２の送信パラメータが、前記１つ又は複数の第２の信号のそれぞれについての異なる第２の送信パラメータを含む、請求項１から１１のいずれか一項に記載の方法（２００）。
【請求項１３】
前記１つ又は複数の第２の送信パラメータが、前記１つ又は複数の第２の信号のうちのいくつかの信号の１つの第２の送信パラメータと、残りの前記１つ又は複数の第２の信号のうちのいくつか又はすべての信号の別の異なる第２の送信パラメータとを含む、請求項１から１１のいずれか一項に記載の方法（２００）。
【請求項１４】
ネットワークノード（５００、６００）から信号を受信するように設定された無線デバイス（３００、４００）であって、請求項１から１３のいずれか一項に記載のステップのうちのいずれかを実行するように設定された１つ又は複数の処理回路（３１０）を備える、無線デバイス（３００、４００）。
【請求項１５】
無線デバイス（３００、４００）を制御するためのコンピュータプログラム製品であって、前記無線デバイス（３００、４００）内の処理回路（３１０）で実行されたときに、請求項１から１３のいずれか一項に記載の方法を前記無線デバイス（３００、４００）に実行させるソフトウェア命令を含む、コンピュータプログラム製品。
【請求項１６】
請求項１５に記載のコンピュータプログラム製品を含む、コンピュータ可読媒体。
【請求項１７】
非一時的コンピュータ可読媒体を含む、請求項１６に記載のコンピュータ可読媒体。
【請求項１８】
無線デバイス（３００、４００）への信号送信のためのネットワークノード（５００、６００）によって実行される方法（１００）であって、
第１の信号におけるダウンリンク制御情報をスケジュールするダウンリンク制御チャネルの送信のための第１の時間及び／又は周波数リソースを規定する第１の送信パラメータを判定すること（１１０）と、
１つ又は複数の第２の信号のうちのそれぞれの信号について、前記第１の送信パラメータ或いは、前記第１の送信パラメータとはそれぞれ異なる、１つ又は複数の第２の送信パラメータを選択すること（１２０）であって、前記１つ又は複数の第２の送信パラメータが、前記１つ又は複数の第２の信号における前記ダウンリンク制御情報をスケジュールする前記ダウンリンク制御チャネルの送信のための異なる第２の時間及び／又は周波数リソースを規定する、１つ又は複数の第２の送信パラメータを選択すること（１２０）と、
前記第１の送信パラメータに従って前記無線デバイス（３００、４００）に前記第１の信号を送信すること（１３０）であって、前記第１の信号が、
前記１つ又は複数の第２の送信パラメータ、及び、
前記１つ又は複数の第２の信号のそれぞれのための前記選択された送信パラメータを指示する設定指示
を含む、第１の信号を送信すること（１３０）と、
対応する前記選択された送信パラメータに従って前記無線デバイス（３００、４００）に前記１つ又は複数の第２の信号を送信すること（１４０）と
を含む、方法（１００）。
【請求項１９】
前記第１の送信パラメータが、第１の制御リソースセット（ＣＯＲＥＳＥＴ）設定を含み、
前記１つ又は複数の第２の送信パラメータのうちの少なくとも１つが、前記第１のＣＯＲＥＳＥＴ設定とは異なる第２のＣＯＲＥＳＥＴ設定を含む、
請求項１８に記載の方法（１００）。
【請求項２０】
前記第１の送信パラメータが、第１の探索空間設定を含み、
前記１つ又は複数の第２の送信パラメータのうちの少なくとも１つが、前記第１の探索空間設定とは異なる第２の探索空間設定を含む、
請求項１８に記載の方法（２００）。
【請求項２１】
前記設定指示が、前記１つ又は複数の第２の信号のそれぞれのための前記選択された送信パラメータを表す１つ又は複数のビットを含む設定フラグセットを含む、請求項１８から２０のいずれか一項に記載の方法（１００）。
【請求項２２】
前記設定フラグセットが、単一のビットを含み、
すべての前記１つ又は複数の第２の信号のための第１の送信パラメータを選択する基地局を指示する第１の値に前記設定フラグセットの前記単一のビットをセットすることと、
すべての前記１つ又は複数の第２の信号のための前記１つ又は複数の第２の送信パラメータを選択する前記基地局を指示する、前記第１の値とは異なる第２の値に前記設定フラグセットの前記単一のビットをセットすることと
を含む、請求項２１に記載の方法（１００）。
【請求項２３】
前記設定フラグセットの各ビット位置が、前記１つ又は複数の第２の信号のうちの異なる１つに対応する、請求項２１に記載の方法（１００）。
【請求項２４】
前記設定フラグセットの前記１つ又は複数のビットが、前記１つ又は複数の第２の信号のそれぞれのための前記選択された送信パラメータを示す複数の値を規定する、請求項２１に記載の方法（１００）。
【請求項２５】
前記設定指示が、黙示的設定指示を含む、請求項１８から２０のいずれか一項に記載の方法（１００）。
【請求項２６】
前記黙示的設定指示が、前記１つ又は複数の第２の信号のそれぞれについての前記第１の送信パラメータの前記選択を指示するための明示的フラグ又はビットの省略を含む、請求項２５に記載の方法（１００）。
【請求項２７】
前記第１の信号に含まれる前記ダウンリンク制御情報が、残余最小システム情報（ＲＭＳＩ）を含む、請求項１８から２６のいずれか一項に記載の方法（１００）。
【請求項２８】
前記第２の信号に含まれる前記ダウンリンク制御情報が、
ページング情報、及び／又は、
他のシステム情報（ＯＳＩ）及び／又は、
ランダムアクセス応答情報、信号
を含む、請求項１８から２７のいずれか一項に記載の方法（１００）。
【請求項２９】
前記１つ又は複数の第２の送信パラメータが、前記１つ又は複数の第２の信号のそれぞれについての異なる第２の送信パラメータを含む、請求項１８から２８のいずれか一項に記載の方法（１００）。
【請求項３０】
前記１つ又は複数の第２の送信パラメータが、前記１つ又は複数の第２の信号のうちのいくつかの信号の１つの第２の送信パラメータと、残りの前記１つ又は複数の第２の信号のうちのいくつかの又はすべての信号の別の異なる第２の送信パラメータとを含む、請求項１８から２８のいずれか一項に記載の方法（１００）。
【請求項３１】
前記選択することが、
１つ又は複数の配備パラメータ、及び／又は、
現在のネットワーク負荷、及び／又は、
ページングされることになる無線デバイスの平均数
に応答して前記１つ又は複数の第２の送信パラメータを、前記１つ又は複数の第２の信号のそれぞれについて、選択すること
を含む、請求項１８から３０のいずれか一項に記載の方法（１００）。
【請求項３２】
無線デバイス（３００、４００）に信号を送信するように設定されたネットワークノード（５００、６００）であって、請求項１８から３１のいずれか一項に記載のステップのいずれかを実行するように設定された１つ又は複数の処理回路（５１０）を備える、ネットワークノード（５００、６００）。
【請求項３３】
無線デバイス（３００、４００）に信号を送信するように設定されたネットワークノード（５００、６００）を制御するためのコンピュータプログラム製品であって、前記ネットワークノード（５００、６００）内の処理回路（５１０）で実行されたとき、請求項１８から３１のいずれか一項に記載の方法を前記ネットワークノード（５００、６００）に実行させるソフトウェア命令を含む、コンピュータプログラム製品。
【請求項３４】
請求項３３に記載のコンピュータプログラム製品を含む、コンピュータ可読媒体。
【請求項３５】
非一時的コンピュータ可読媒体を含む、請求項３４に記載のコンピュータ可読媒体。
【発明の詳細な説明】
【技術分野】
【０００１】
本明細書で提示される解決法は、概して制御チャネル送信に関し、より詳細には、そのような制御チャネル送信のための探索空間設定に関する。
【背景技術】
【０００２】
無線通信システムにおいて、基地局は、基地局と無線デバイスとの間の通信のために利用可能なリソースを識別する／割り当てるために、１つ又は複数の無線デバイスに制御シグナリングを提供する。いくつかのシステムにおいて、基地局は、規定された／スケジュールされたダウンリンク制御チャネルにおいてそのような制御情報を提供する。たとえば、新無線（ＮＲ：Ｎｅｗ  Ｒａｄｉｏ）において、基地局は、基地局からのシグナリングに含まれるダウンリンク制御情報の時間及び周波数リソースを規定する探索空間及び／又は制御リソースセット（ＣＯＲＥＳＥＴ：ｃｏｎｔｒｏｌ  ｒｅｓｏｕｒｃｅ  ｓｅｔ）を設定し得る。無線デバイスは、次いで、基地局から受信されることになる信号のための設定された探索空間及び／又はＣＯＲＥＳＥＴをモニタする。
【０００３】
ベースラインにおいて、基地局は、すべてのタイプのダウンリンク制御情報、たとえば、残余最小システム情報（ＲＭＳＩ：Ｒｅｍａｉｎｉｎｇ  Ｍｉｎｉｍｕｍ  Ｓｙｓｔｅｍ  Ｉｎｆｏｒｍａｔｉｏｎ）、ページング情報、他のシステム情報（ＯＳＩ：Ｏｔｈｅｒ  Ｓｙｓｔｅｍ  Ｉｎｆｏｒｍａｔｉｏｎ）、及び／又はランダムアクセス応答（ＲＡＲ：Ｒａｎｄｏｍ  Ａｃｃｅｓｓ  Ｒｅｓｐｏｎｓｅ）情報、について同じＣＯＲＥＳＥＴ設定をセットする。しかしながら、それを行うことは、特別なシステム情報（ＳＩ：Ｓｙｓｔｅｍ  Ｉｎｆｏｒｍａｔｉｏｎ）及び／又はページングカバレッジ要件を有するシステムにおいて重大な制約を課す。さらに、たとえばＲＭＳＩの、ＣＯＲＥＳＥＴ設定とは別個でも別個でなくても異なっても異ならなくてもよい、いくつかのタイプのダウンリンク制御情報、たとえば、ＲＡＲ情報、のための付加的ＣＯＲＥＳＥＴ設定を必要とすることは、ブロードキャストリソースを浪費する。したがって、探索空間及び／又はＣＯＲＥＳＥＴ設定の改良の必要が残っている。
【発明の概要】
【０００４】
本明細書で提示される解決法は、第１の信号において無線デバイスに提供されるダウンリンク制御情報のダウンリンク制御チャネルスケジューリングをモニタするための第１の送信パラメータを判定し、第１の送信パラメータ或いは１つ又は複数の第２の信号において無線デバイスに提供されるダウンリンク制御情報のダウンリンク制御チャネルスケジューリングをモニタするための１つ又は複数の異なる第２の送信パラメータのいずれかを選択する。リソースの柔軟性及び効率的使用を可能にするために、基地局によって送られる第１の信号は、１つ又は複数の第２の送信パラメータ並びに第２の信号のための選択された送信パラメータを指示する。１つの例示的実施形態において、第１の送信パラメータは、第１の制御リソースセット（ＣＯＲＥＳＥＴ）設定を含み、そして、第２の送信パラメータのうちの少なくとも１つは、第２のＣＯＲＥＳＥＴ設定を含む。別の例示的実施形態において、第１の送信パラメータは、第１の探索空間設定を含み、そして、第２の送信パラメータのうちの少なくとも１つは、第２の探索空間設定を含む。本明細書では、ＣＯＲＥＳＥＴは探索空間と関連付けられており、逆もまた同様である。
【０００５】
１つの例示的実施形態は、ネットワークノードによって無線デバイスに送信される信号を受信するために無線デバイスによって実行される方法を含む。本方法は、第１の信号に含まれるダウンリンク制御情報のダウンリンク制御チャネルスケジューリングをモニタするための第１の時間及び／又は周波数リソースを規定する第１の送信パラメータに従って設定された少なくとも１つの受信器を使用して第１の信号を受信することを含む。第１の信号は、１つ又は複数の第２の送信パラメータと設定指示とを含む。第１の送信パラメータとはそれぞれ異なる、１つ又は複数の第２の送信パラメータは、１つ又は複数の第２の信号に含まれるダウンリンク制御情報のダウンリンク制御チャネルスケジューリングをモニタするための異なる第２の時間及び／又は周波数リソースをそれぞれ規定する。設定指示は、第１の送信パラメータ或いは１つ又は複数の第２の信号のうちのそれぞれの信号の１つ又は複数の第２の送信パラメータの、ネットワークノードによる、選択を指示する。本方法はさらに、設定指示に応答して第１の送信パラメータ或いは１つ又は複数の第２の送信パラメータに従って１つ又は複数の第２の信号のそれぞれを受信するために、及び設定指示に応答して設定された少なくとも１つの受信器を使用して１つ又は複数の第２の信号を受信するために無線デバイス内の少なくとも１つの受信器を設定することを含む。
【０００６】
１つの例示的実施形態は、ネットワークノードから信号を受信するように設定された無線デバイスを含む。無線デバイスは、第１の信号に含まれるダウンリンク制御情報のダウンリンク制御チャネルスケジューリングをモニタするための第１の時間及び／又は周波数リソースを規定する第１の送信パラメータに従って設定された少なくとも１つの受信器を使用して第１の信号を受信するように設定された１つ又は複数の処理回路を備える。第１の信号は、１つ又は複数の第２の送信パラメータと設定指示とを含む。第１の送信パラメータとはそれぞれ異なる、１つ又は複数の第２の送信パラメータは、１つ又は複数の第２の信号に含まれるダウンリンク制御情報のダウンリンク制御チャネルスケジューリングをモニタするための異なる第２の時間及び／又は周波数リソースをそれぞれ規定する。設定指示は、第１の送信パラメータ或いは１つ又は複数の第２の信号のうちのそれぞれの信号の１つ又は複数の第２の送信パラメータの、ネットワークノードによる、選択を指示する。１つ又は複数の処理回路は、設定指示に応答して第１の送信パラメータ或いは１つ又は複数の第２の送信パラメータに従って１つ又は複数の第２の信号のそれぞれを受信するための無線デバイス内の少なくとも１つの受信器を設定するように、並びに設定指示に応答して設定された少なくとも１つの受信器を使用して１つ又は複数の第２の信号を受信するようにさらに設定される。
【０００７】
１つの例示的実施形態は、ネットワークノードから信号を受信するように設定された無線デバイスを含む。無線デバイスは、受信器ユニット／回路／モジュール及び設定ユニット／回路／モジュールを備える。受信器ユニット／回路／モジュールは、第１の信号に含まれるダウンリンク制御情報のダウンリンク制御チャネルスケジューリングをモニタするための第１の時間及び／又は周波数リソースを規定する第１の送信パラメータに従って第１の信号を受信するように設定される。第１の信号は、１つ又は複数の第２の送信パラメータと設定指示とを含む。第１の送信パラメータとはそれぞれ異なる、１つ又は複数の第２の送信パラメータは、１つ又は複数の第２の信号に含まれるダウンリンク制御情報のダウンリンク制御チャネルスケジューリングをモニタするための異なる第２の時間及び／又は周波数リソースをそれぞれ規定する。設定指示は、第１の送信パラメータ或いは１つ又は複数の第２の信号のうちのそれぞれの信号の１つ又は複数の第２の送信パラメータの、ネットワークノードによる、選択を指示する。設定ユニット／回路／モジュールは、設定指示に応答して第１の送信パラメータ或いは１つ又は複数の第２の送信パラメータに従って１つ又は複数の第２の信号のそれぞれを受信するために無線デバイス内の少なくとも１つの受信器を設定するように設定される。設定指示に応答して設定されるものとしての、受信器ユニット／回路／モジュールは、１つ又は複数の第２の信号を受信する。いくつかの実施形態において、無線デバイスは、第１の信号から１つ又は複数の第２の送信パラメータ及び設定指示を抽出するように設定されたオプションの抽出ユニット／回路／モジュールを含む。
【０００８】
１つの実施形態は、無線デバイスを制御するためのコンピュータプログラム製品を含む。コンピュータプログラム製品は、無線デバイス内の処理回路で実行されたとき、第１の信号に含まれるダウンリンク制御情報のダウンリンク制御チャネルスケジューリングをモニタするための第１の時間及び／又は周波数リソースを規定する第１の送信パラメータに従って設定された少なくとも１つの受信器を使用して第１の信号を受信することを無線デバイスに行わせる、ソフトウェア命令を含む。第１の信号は、１つ又は複数の第２の送信パラメータと設定指示とを含む。第１の送信パラメータとはそれぞれ異なる、１つ又は複数の第２の送信パラメータは、１つ又は複数の第２の信号に含まれるダウンリンク制御情報のダウンリンク制御チャネルスケジューリングをモニタするための異なる第２の時間及び／又は周波数リソースをそれぞれ規定する。設定指示は、第１の送信パラメータ或いは１つ又は複数の第２の信号のうちのそれぞれの信号の１つ又は複数の第２の送信パラメータの、ネットワークノードによる、選択を指示する。ソフトウェア命令は、処理回路で実行されたとき、設定指示に応答して第１の送信パラメータ或いは１つ又は複数の第２の送信パラメータに従って１つ又は複数の第２の信号のそれぞれを受信するために無線デバイス内の少なくとも１つの受信器を設定することと、設定指示に応答して設定された少なくとも１つの受信器を使用して１つ又は複数の第２の信号を受信することとを無線デバイスにさらに行わせる。１つの例示的実施形態において、コンピュータ可読媒体は、コンピュータプログラム製品を含む。１つの例示的実施形態において、コンピュータ可読媒体は、非一時的コンピュータ可読媒体を含む。
【０００９】
１つの例示的実施形態は、無線デバイスへの信号送信のためにネットワークノードによって実行される方法を含む。本方法は、第１の信号におけるダウンリンク制御情報をスケジュールするダウンリンク制御チャネルの送信のための第１の時間及び／又は周波数リソースを規定する第１の送信パラメータを判定することを含む。本方法はさらに、１つ又は複数の第２の信号のうちのそれぞれの信号について、第１の送信パラメータ或いは、第１の送信パラメータとはそれぞれ異なる、１つ又は複数の第２の送信パラメータを選択することを含む。１つ又は複数の第２の送信パラメータは、１つ又は複数の第２の信号におけるダウンリンク制御情報をスケジュールするダウンリンク制御チャネルの送信のための異なる第２の時間及び／又は周波数リソースを規定する。本方法はさらに、第１の送信パラメータに従って第１の信号を無線デバイスに送信することを含む。第１の信号は、１つ又は複数の第２の送信パラメータと、１つ又は複数の第２の信号のそれぞれのための選択された送信パラメータを指示する設定指示とを含む。本方法はさらに、対応する選択された送信パラメータに従って１つ又は複数の第２の信号を無線デバイスに送信することを含む。
【００１０】
１つの例示的実施形態は、無線デバイスに信号を送信するように設定されたネットワークノードを含む。ネットワークノードは、第１の信号におけるダウンリンク制御情報をスケジュールするダウンリンク制御チャネルの送信のための第１の時間及び／又は周波数リソースを規定する第１の送信パラメータを判定するように設定された１つ又は複数の処理回路を備える。１つ又は複数の処理回路はさらに、１つ又は複数の第２の信号のうちのそれぞれの信号について、第１の送信パラメータ或いは、第１の送信パラメータとはそれぞれ異なる、１つ又は複数の第２の送信パラメータを選択するように設定される。１つ又は複数の第２の送信パラメータは、１つ又は複数の第２の信号におけるダウンリンク制御情報をスケジュールするダウンリンク制御チャネルの送信のための異なる第２の時間及び／又は周波数リソースを規定する。１つ又は複数の処理回路はさらに、第１の送信パラメータに従って第１の信号を無線デバイスに送信するように設定される。第１の信号は、１つ又は複数の第２の送信パラメータと、１つ又は複数の第２の信号のそれぞれのための選択された送信パラメータを指示する設定指示とを含む。１つ又は複数の処理回路はさらに、対応する選択された送信パラメータに従って１つ又は複数の第２の信号を無線デバイスに送信するように設定される。
【００１１】
１つの例示的実施形態は、無線デバイスに信号を送信するように設定されたネットワークノードを備える。ネットワークノードは、設定ユニット／回路／モジュール、選択ユニット／回路／モジュール、及び送信ユニット／回路／モジュールを備える。設定ユニット／回路／モジュールは、第１の信号におけるダウンリンク制御情報をスケジュールするダウンリンク制御チャネルの送信のための第１の時間及び／又は周波数リソースを規定する第１の送信パラメータを判定するように設定される。選択ユニット／回路／モジュールは、１つ又は複数の第２の信号のうちのそれぞれの信号について、第１の送信パラメータ或いは、第１の送信パラメータとはそれぞれ異なる、１つ又は複数の第２の送信パラメータを選択するように設定される。１つ又は複数の第２の送信パラメータは、１つ又は複数の第２の信号におけるダウンリンク制御情報をスケジュールするダウンリンク制御チャネルの送信のための異なる第２の時間及び／又は周波数リソースを規定する。送信ユニット／回路／モジュールは、第１の送信パラメータに従って第１の信号を無線デバイスに送信するように設定される。第１の信号は、１つ又は複数の第２の送信パラメータと、１つ又は複数の第２の信号のそれぞれのための選択された送信パラメータを指示する設定指示とを含む。送信ユニット／回路／モジュールはさらに、対応する選択された送信パラメータに従って１つ又は複数の第２の信号を無線デバイスに送信するように設定される。
【００１２】
１つの例示的実施形態は、無線デバイスに信号を送信するように設定されたネットワークノードを制御するためのコンピュータプログラム製品を含む。コンピュータプログラム製品は、ネットワークノード内の処理回路で実行されたとき、第１の信号におけるダウンリンク制御情報をスケジュールするダウンリンク制御チャネルの送信のための第１の時間及び／又は周波数リソースを規定する第１の送信パラメータをネットワークノードに判定させるソフトウェア命令を含む。ソフトウェア命令はさらに、処理回路で実行されたとき、１つ又は複数の第２の信号のうちのそれぞれの信号について、第１の送信パラメータ或いは、第１の送信パラメータとはそれぞれ異なる、１つ又は複数の第２の送信パラメータを選択することをネットワークノードに行わせる。１つ又は複数の第２の送信パラメータは、１つ又は複数の第２の信号におけるダウンリンク制御情報をスケジュールするダウンリンク制御チャネルの送信のための異なる第２の時間及び／又は周波数リソースを規定する。ソフトウェア命令はさらに、処理回路で実行されたとき、第１の送信パラメータに従って第１の信号を無線デバイスに送信することをネットワークノードに行わせる。第１の信号は、１つ又は複数の第２の送信パラメータと、１つ又は複数の第２の信号のそれぞれのための選択された送信パラメータを指示する設定指示とを含む。ソフトウェア命令はさらに、処理回路で実行されたとき、対応する選択された送信パラメータに従って１つ又は複数の第２の信号を無線デバイスに送信することをネットワークノードに行わせる。１つの例示的実施形態において、コンピュータ可読媒体は、コンピュータプログラム製品を含む。１つの例示的実施形態において、コンピュータ可読媒体は、非一時的コンピュータ可読媒体を含む。
【図面の簡単な説明】
【００１３】
【図１】例示的ＣＯＲＥＳＥＴ設定を示す。
【図２】ＲＭＳＩ  ＴＴＩに関連する例示的配備を示す。
【図３】本明細書で提示される解決法の例示的実施形態による探索空間設定及び信号送信の方法を示す。
【図４】本明細書で提示される解決法の例示的実施形態による信号を受信する及び探索空間設定を判定する方法を示す。
【図５】１つの例示的実施形態による無線デバイスを示す。
【図６】別の例示的実施形態による無線デバイスを示す。
【図７】１つの例示的実施形態によるネットワークノードを示す。
【図８】別の例示的実施形態によるネットワークノードを示す。
【図９】本明細書で提示される解決法の例示的実施形態を示す。
【図１０】本明細書で提示される解決法に適用可能な例示的無線ネットワークを示す。
【図１１】本明細書で提示される解決法に適用可能な例示的ＵＥを示す。
【図１２】本明細書で提示される解決法に適用可能な例示的仮想化環境を示す。
【図１３】本明細書で提示される解決法に適用可能な例示的通信ネットワークを示す。
【図１４】本明細書で提示される解決法に適用可能な例示的ホストコンピュータを示す。
【図１５】本明細書で提示される解決法の実施形態による通信システムにおいて実施される例示的方法を示す。
【図１６】本明細書で提示される解決法の実施形態による通信システムにおいて実施される別の例示的方法を示す。
【図１７】本明細書で提示される解決法の実施形態による通信システムにおいて実施される別の例示的方法を示す。
【図１８】本明細書で提示される解決法の実施形態による通信システムにおいて実施される別の例示的方法を示す。
【発明を実施するための形態】
【００１４】
本明細書で提示される解決法は、第１の信号において無線デバイスに提供されたダウンリンク制御情報のためのダウンリンク制御チャネルスケジューリングをモニタするための第１の送信パラメータ（たとえば、制御リソースセット（ＣＯＲＥＳＥＴ）又は探索空間）を判定し、１つ又は複数の第２の信号において無線デバイスに提供されるダウンリンク制御情報のダウンリンク制御チャネルスケジューリングをモニタするための第１の送信パラメータ或いは１つ又は複数の異なる送信パラメータのいずれかを選択する。リソースの柔軟性及び効率的使用を可能にするために、基地局によって送られる第１の信号は、第２の信号のための選択された送信パラメータを示す。本明細書で提示される解決法のさらなる詳細を提供する前に、以下に、先ず、ダウンリンク制御情報に関する無線システムに関する一般情報を提供する。
【００１５】
一般に、シグナリングヌメロロジは、信号送信のために使用される、サブキャリア間隔（ＳＣＳ：Ｓｕｂ−Ｃａｒｒｉｅｒ  Ｓｐａｃｉｎｇ）、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル長、サイクリックプレフィックス（ＣＰ：Ｃｙｃｌｉｃ  Ｐｒｅｆｉｘ）長などの組合せを指す。第３世代パートナーシップ（３ＧＰＰ：３ｒｄ  Ｇｅｎｅｒａｔｉｏｎ  Ｐａｒｔｎｅｒｓｈｉｐ  Ｐｒｏｊｅｃｔ）新無線（ＮＲ）では、複数のヌメロロジ（たとえば、ｎ＝０…５についてＳＣＳ＝１５＊２ｎｋＨｚ）が、規定されており、それぞれが関連する付加信号パラメータを有する。前述の２ｎ構造は、同じＯＦＤＭシンボルの間の同キャリア内に異なるＳＣＳを有する信号の同時送信を可能にする。いくつかの配備において、異なるＮＲ信号は、カバレッジ（たとえば、より低いＳＣＳは、分散に対してより堅固であり、より優れたカバレッジを可能にする）とデータ容量（たとえば、より高いＳＣＳは、たとえば、位相ノイズに対して、より堅固である）との間の適切なトレードオフを確保するために、異なるヌメロロジを使用し得る。
【００１６】
ＵＥは、ダウンリンク制御情報をスケジュールするＤＬ制御チャネルの送信のための時間及び／又は周波数リソースを規定する送信パラメータに応答するダウンリンク（ＤＬ：ｄｏｗｎｌｉｎｋ）制御シグナリングをモニタする。送信パラメータの１つの例は、制御リソースセット（ＣＯＲＥＳＥＴ）である。ＣＯＲＥＳＥＴは、周波数領域における隣接又は非隣接物理リソースブロック（ＰＲＢ：Ｐｈｙｓｉｃａｌ  Ｒｅｓｏｕｒｃｅ  Ｂｌｏｃｋ）のセットのサイズと、時間領域における１つ又は複数のＯＦＤＭシンボルとを規定する。物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）は、１つのＣＯＲＥＳＥＴに限定される。本明細書で提示される解決法は、ＣＯＲＥＳＥＴに関して主に説明されるが、本明細書で提示される解決法は、探索空間を含むがこれに限定されない、他の送信パラメータに適用されることが理解されよう。探索空間はＣＯＲＥＳＥＴと関連付けられており、逆もまた同様であることが、理解されよう。
【００１７】
本明細書ではユーザ機器（ＵＥ）とも称される、無線デバイスは、１つ又は複数の探索空間においてＰＤＣＣＨをモニタする。各探索空間は、周波数領域におけるＰＲＢのセット及び時間領域におけるＯＦＤＭシンボルのセットとして規定される、ＣＯＲＥＳＥＴと関連付けられる。たとえば：
・シングルシンボルＣＯＲＥＳＥＴ：周波数第１のマッピング、交互的又は非交互的マッピング
・マルチシンボルＣＯＲＥＳＥＴ：時間第１のマッピング、交互的又は非交互的マッピング
【００１８】
いくつかのシステムでは、スロットに基づくスケジューリングについて、第３のシンボル又は第４のシンボルのいずれかにある、第１の復調用参照信号（ＤＭＲＳ：ＤｅＭｏｄｕｌａｔｉｏｎ  Ｒｅｆｅｒｅｎｃｅ  Ｓｉｇｎａｌ）位置が、ブロードキャストチャネル、たとえば、物理ブロードキャストチャネル（ＰＢＣＨ：Ｐｈｙｓｉｃａｌ  Ｂｒｏａｄｃａｓｔ  Ｃｈａｎｎｅｌ）、によって設定される。スロットに基づくスケジューリングを有する物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）の第１のＤＭＲＳ位置が第３のシンボルにある場合には、ＣＯＲＥＳＥＴの最大持続時間は、２つのシンボルであり、そうでない場合には、３つのシンボルである。ＰＲＢのセットは、非隣接でもよい。複数のＣＯＲＥＳＥＴが、ＵＥの周波数及び時間において重複し得る。
【００１９】
ＣＯＲＥＳＥＴは、ダウンリンク（ＤＬ）制御チャネル（たとえば、ＰＤＣＣＨ）が限定される時間／周波数（Ｔ／Ｆ）サイズを規定する。異なるＣＯＲＥＳＥＴが、異なるタイプのＤＬ制御情報（異なるタイプの探索空間に関連する）を送信するために又は異なる５Ｇ使用事例の要件（たとえば、レイテンシを減らすためのより短い時間分）を満たすために設定され得る。たとえば、指定されたＣＯＲＥＳＥＴに関連するＰＤＣＣＨ送信の例示的ロケーションを示す（複数のロケーション／割当ても可能である）、図１を参照されたい。ＣＯＲＥＳＥＴ内に、１セットのＣＣＥによってそれぞれ形成された複数のＰＤＣＣＨリソース候補が、設定され得る。これは、関連する探索空間設定情報エレメント（ＩＥ：Ｉｎｆｏｒｍａｔｉｏｎ  Ｅｌｅｍｅｎｔ）内のＲＲＣパラメータによって設定される。追加で、関連する探索空間ＩＥはまた、ＰＤＣＣＨをどのように及びどこで探索するかをＵＥに指示するために、ＰＤＣＣＨモニタリング機会、モニタリング周期性、モニタリング持続期間などを含むパラメータを設定する。
【００２０】
ＣＯＲＥＳＥＴは、たとえば、３ビット設定、すなわち、７つの可能なロケーション又はロケーションセットのうちの１つ、を介して、残余最小システム情報（ＲＭＳＩ）について、指示され得、そこで、インデックス０はＲＭＳＩがないことを示す。ＮＲにおいて、残余最小システム情報（ＲＭＳＩ）のＣＯＲＥＳＥＴは、事前設定されたマッピングテーブルとともにマスタ情報ブロック内の４つのビットを介して指示される。したがって、基地局は、ＲＭＳＩを運ぶＮＲ−ＰＤＣＣＨ（Ｎｅｗ  Ｒａｄｉｏ−Ｐｈｙｓｉｃａｌ  Ｄｏｗｎｌｉｎｋ  Ｃｏｎｔｒｏｌ  Ｃｈａｎｎｅｌ：新無線−物理ダウンリンク制御チャネル）のための探索空間のＣＯＲＥＳＥＴのための時間内のシンボルの数及び周波数内のＲＢの数を指示する。追加で、ＭＩＢ内の別の４ビットが、ＰＤＣＣＨモニタリング機会を指示するために使用される。ＰＤＣＣＨモニタリング機会と共にあるＣＯＲＥＳＥＴ設定及び関連する探索空間のために設定された他のパラメータは、ＵＥへのガイダンスを提供し、そこで、ＵＥは、ＲＭＳＩ（標準ではＳＩＢ１と称される）をスケジュールするＮＲ−ＰＤＣＣＨを検索すべきである。
【００２１】
ページングを含む物理ダウンリンク共有チャネル（ＰＤＳＣＨ）をスケジュールするＰＤＣＣＨのための（共通）ＣＯＲＥＳＥＴについて、少なくとも以下が設定される：
・時間−領域リソース（時間分）と、
・所与の周波数帯域のＮＲ  ＵＥ最小ＤＬ帯域幅（ＢＷ）又は初期アクティブＤＬ  ＢＷ内に限定された、周波数−領域リソースと、
・リソースエレメントグループ（ＲＥＧ：Ｒｅｓｏｕｒｃｅ  Ｅｌｅｍｅｎｔ  Ｇｒｏｕｐ）バンドルサイズ、交互的又は非交互的（ＲＥＧマッピングへの制御チャネルエレメント（ＣＣＥ：Ｃｏｎｔｒｏｌ  Ｃｈａｎｎｅｌ  Ｅｌｅｍｅｎｔ））。
周波数−領域リソースは、隣接でも非隣接でもよい。ＣＯＲＥＳＥＴの各隣接部分は、周波数におけるＲＥＧバンドルのサイズ以上である。
【００２２】
ＮＲにおいて、システムアクセス識別は、セル識別子（ＩＤ）、たとえば、物理セルＩＤ（ＰＣＩ）、をエンコードする１次ＳＳ（ＰＳＳ：ｐｒｉｍａｒｙ  ＳＳ）及び２次ＳＳ（ＳＳＳ：ｓｅｃｏｎｄａｒｙ  ＳＳ）を含む同期信号（ＳＳ：Ｓｙｎｃｈｒｏｎｉｚａｔｉｏｎ  Ｓｉｇｎａｌ）ブロックとＭＩＢ情報を含むＰＢＣＨとを先ず受信することによって、ＵＥによって、実行される。ＭＩＢは、クリティカルシステム情報（ＳＩ）と、残余最小限ＳＩ（ＲＭＳＩ）のロケーションへのＣＯＲＥＳＥＴポインタとを含む。ＰＢＣＨはまた、ＲＭＳＩヌメロロジに関してＵＥに知らせる。図２は、同期信号ブロック（ＳＳＢ）及びＲＭＳＩ送信の一例を示す。この例では、ＵＥは、２０ｍｓごとにＮＲ−ＰＤＳＣＨの少なくとも１つのＳＳブロック及び少なくとも１つの冗長バージョン（ＲＶ：ｒｅｄｕｎｄａｎｃｙ  ｖｅｒｓｉｏｎ）を受信し、その一方で、ＲＭＳＩの送信時間間隔（ＴＴＩ：Ｔｒａｎｓｍｉｓｓｉｏｎ  Ｔｉｍｅ  Ｉｎｔｅｒｖａｌ）は、たとえば、８０ｍｓである。
【００２３】
ＲＭＳＩを運ぶＮＲ−ＰＤＳＣＨは、可変ペイロードを有することになり、ＮＲ−ＰＤＣＣＨを使用してスケジュールされることになる。ＭＩＢを運ぶ物理ブロードキャストチャネル（ＰＢＣＨ）（表１を参照）は、ＲＭＳＩ設定のための８ビットフィールド、そこでＣＯＲＥＳＥＴ設定は４ビットを占める、を含み、ＮＲ−ＰＤＣＣＨのために使用される時間及び周波数リソースのサイズを指示する。これは、ＲＭＳＩ（ＮＲ−ＳＩＢ１）をスケジュールすることになるＮＲ−ＰＤＣＣＨをＵＥがどこで探索すべきかに関してＵＥのための何らかの援助を提供することを可能にする。
2021503776.tif 000003
【００２４】
ページングは、たとえば、データ受信のために、緊急メッセージ配布のために、ＳＩ更新情報を示すためになど、ネットワークと接触するように非アクティブ／アイドルモードの１つ又は複数のＵＥに警告するために使用される。ＮＲにおいて、ページングは、ページングメッセージ（ＰＤＳＣＨにおける）がその後に続くページングＤＣＩ送信（ＰＤＣＣＨにおける）を含む。ＵＥは、ネットワーク（ＮＷ）によって提供されるＤＲＸ及びページング機会（ＰＯ：ｐａｇｉｎｇ  ｏｃｃａｓｉｏｎ）スケジュールに従って、ページングメッセージを定期的にチェックするように設定される。ＵＥは、ＰＤＣＣＨにおけるダウンリンク制御情報（ＤＣＩ：Ｄｏｗｎｌｉｎｋ  Ｃｏｎｔｒｏｌ  Ｉｎｆｏｒｍａｔｉｏｎ）送信をページングするためにモニタするためのＣＯＲＥＳＥＴを与えられる。いくつかのＮＲネットワークについて、ＰＤＣＣＨをページングするためのヌメロロジ及び／又はＣＯＲＥＳＥＴは、ＲＭＳＩについてと同じでもよく、又はＲＭＳＩにおいてシステム情報ブロック１（ＳＩＢ１：Ｓｙｓｔｅｍ  Ｉｎｆｏｒｍａｔｉｏｎ  Ｂｌｏｃｋ  １）内で提供される。
【００２５】
ランダムアクセス応答（ＲＡＲ）送信は、アップリンク（ＵＬ：Ｕｐｌｉｎｋ）で受信される物理ランダムアクセスチャネル（ＰＲＡＣＨ）プリアンブルへのＤＬ応答の送信を指す。ＲＡＲは、ランダムアクセス−無線ネットワーク一時識別子（ＲＡ−ＲＮＴＩ：Ｒａｎｄｏｍ  Ａｃｃｅｓｓ−Ｒａｄｉｏ  Ｎｅｔｗｏｒｋ  Ｔｅｍｐｏｒａｒｙ  Ｉｄｅｎｔｉｆｉｅｒ）を有するＰＤＣＣＨによってスケジュールされたＰＤＳＣＨとして送信される。ＵＥは、ＲＡＲ受信ウインドウの間に関連探索空間（すなわち、タイプ１−ＰＤＣＣＨ共通探索空間）においてＲＡＲをスケジュールするＰＤＣＣＨ候補をモニタする。この探索空間は、数あるパラメータの中でも特に、ＣＯＲＥＳＥＴ設定、モニタリング機会、モニタリング周期性などによって規定される。ウインドウは、ＰＲＡＣＨ送信後に所定の時間ギャップを開始し、ＵＥに知られている所定の持続期間を有する。ページングと同様に、ＲＡＲ  ＰＤＣＣＨのためのヌメロロジ及び／又はＣＯＲＥＳＥＴは、ＲＭＳＩについてと同じでもよく、又はＲＭＳＩにおいてＳＩＢ１で提供される。
【００２６】
他のＳＩ（ＯＳＩ）は、ＮＷによって要求に応じて送信される付加的システム情報である。ネットワークノードは、専用ＲＮＴＩを有するＰＤＣＣＨによってスケジュールされる物理ダウンリンク共有チャネル（ＰＤＳＣＨ）としてＯＳＩを送信する。ページングと同様に、ＯＳＩ  ＰＤＣＣＨのためのヌメロロジ及び／又はＣＯＲＥＳＥＴは、ＲＭＳＩについてと同じでもよく、又はＲＭＳＩにおいてＳＩＢ１で提供される。
【００２７】
現在、ある種の課題が存在する。たとえば、すべての他のアクセス信号のＣＯＲＥＳＥＴ設定パラメータがＲＭＳＩ送信についてと同じになることを強制することは、特別なＳＩ及びページングカバレッジ要件を有する高度な配備において重大な制約を課す。場合によっては、そのような制約は、ＳＩ又はページングカバレッジ又は容量制限を理由として、データ送信のためのそれらのネットワーク容量又は費用効果を最大化するオペレータの能力を制限し得る。他の場合には、別個の付加的ＣＯＲＥＳＥＴ設定パラメータがすべての他のアクセス信号のＳＩＢ１において送信されることを必要とすることは、情報の重複と、ＲＭＳＩ及び他の送信が同じリソースを共用する多数の共通配備における高価なブロードキャストリソースの浪費とをもたらす。したがって、高度なネットワーク配備において柔軟なアクセス及びページング信号送信をサポートしつつ不必要なブロードキャスト動作を回避する異なるシステム情報のための送信パラメータを設定する必要がある。
【００２８】
本開示のある種の態様及びそれらの実施形態は、これらの又は他の課題に対する解決法を提供し得る。
【００２９】
ネットワークは、ＰＢＣＨ／ＭＩＢにおける所与のＳＳＢに関連するＲＭＳＩ／ＳＩＢ１の送信をスケジュールするために使用されることになる、少なくとも１つのＣＯＲＥＳＥＴ設定を送信する。ネットワークは、ＲＭＳＩ／ＳＩＢ１において、１つ又は複数の付加信号（たとえば、ＲＡＲ、ＯＳＩ、ページングなどのようなアクセス関連信号）を受信するために使用されることになる、第２のＣＯＲＥＳＥＴ設定をさらに送信し得る。ネットワークはまた、ＲＭＳＩ／ＳＩＢ１において、１つ又は複数のＣＯＲＥＳＥＴインジケータ又は他のビットセットを送信し、そこで、いくつかの実施形態において、１つ又は複数のＣＯＲＥＳＥＴインジケータは、たとえば、フラグビットであり、各フラグビットは、それぞれの信号が第１のＣＯＲＥＳＥＴを使用して送信されるか又は第２のＣＯＲＥＳＥＴを使用して送信されるかを指示する。
【００３０】
対応するＵＥは、各関連する付加信号のＲＭＳＩ内のＣＯＲＥＳＥＴフラグビットを読取り、付加信号のための第１の又は第２のＣＯＲＥＳＥＴ設定を使用するようにその信号の受信器を設定する。本明細書で提示される解決法は、ＲＭＳＩのためのＣＯＲＥＳＥＴ設定及び付加信号のためにオプションで利用可能な異なるＣＯＲＥＳＥＴ設定に関して説明されているが、本明細書で提示される解決法は、異なるタイプのＤＬ制御情報を受信するために異なる送信パラメータを選択的に使用する、より一般的なアイディアにも同等に適用されることが理解されよう。いくつかの実施形態において、送信パラメータは、ＣＯＲＥＳＥＴを含み得るが、他の実施形態では、送信パラメータは、より一般的に、探索空間を含み得る。すべての実施形態において、送信パラメータは、ＤＬ制御チャネル情報を運ぶＰＤＣＣＨをモニタするようにＵＥの時間及び／又は周波数リソースを規定する。
【００３１】
１つの例示的実施形態は、第２の信号送信について、セルラネットワークノードによって実施される、方法を含む。本方法は、システム情報（たとえば、ＲＭＳＩ）信号送信のための送信パラメータ、及び情報ブロック（たとえば、ＭＩＢ）における設定のシグナリングの第１の設定を判定することを含む。本方法はさらに、１つ又は複数の第２の信号送信の送信パラメータの第２の設定を判定することと、１つ又は複数の第２の信号のどれが第１の設定を使用するか及びどれが第２の設定を使用するかを選択することと、設定フラグセットにおける選択をエンコードすることとを含む。本方法はさらに、第２の設定ｉｎｆｏ及び設定フラグセットｉｎｆｏを送信することを含む、システム情報送信を実行することと、前述の選択された設定に従って第２の信号送信を実行することとを含む。
【００３２】
例示的実施形態において、送信パラメータは、制御リソースセット（ＣＯＲＥＳＥＴ）を含む。
【００３３】
１つの例示的実施形態は、第２の信号受信のための、ＵＥによって実施される、方法を含む。本方法は、ブロードキャストチャネル（たとえば、ＰＢＣＨ）で信号を受信することと、システム情報（たとえば、ＲＭＳＩ）の送信パラメータの第１の設定を、受信された信号から（たとえば、ＭＩＢから）、取得することとを含む。本方法はさらに、第１の設定に従ってシステム情報（たとえば、ＲＭＳＩ）を受信することと、送信パラメータの第２の設定及び１つ又は複数の第２の信号受信の設定フラグセットを受信された信号から（たとえば、ＳＩＢ１から）抽出することとを含む。本方法はさらに、第１の及び第２の設定及び設定フラグセットに基づいて１つ又は複数の第２の信号の受信器を設定することと、対応する設定に従って１つ又は複数の第２の信号を受信することとを含む。
【００３４】
１つの例示的実施形態は、ランダムアクセスのためのＣＯＲＥＳＥＴ設定を提供する。ＰＢＣＨを介して、ＵＥは、所与のＳＳブロックに関連する少なくともＲＭＳＩをスケジュールするＰＤＣＣＨについて少なくとも１つのＣＯＲＥＳＥＴ設定を取得する。ＲＭＳＩをスケジュールするＰＤＣＣＨのためのアグリゲーションレベルごとのアグリゲーションレベル及び候補のセットが、本明細書では指定される。セル内のアグリゲーションレベル１６のサポートの指示については、さらなる研究が予定されている。さらなる研究が予定されているものには、ＯＳＩ、ランダムアクセス、及びページングのための探索空間のセットもある。ＲＭＳＩを介して、ＵＥは、ランダムアクセスのための少なくともＰＤＣＣＨの少なくとも１つのＣＯＲＥＳＥＴ設定を用いて設定され得る。ＲＭＳＩによって設定されない場合、ランダムアクセスのためのＣＯＲＥＳＥＴ設定は、ＰＢＣＨによって設定されるものである。ＣＯＲＥＳＥＴ設定が初期アクティブＤＬ  ＢＷＰ外で設定され得るかどうかについては、さらなる研究が予定されている。ＵＥ特有のシグナリングを介して、ＵＥは、少なくともＵＥ特有のデータをスケジュールするＰＤＣＣＨのための１つ又は複数のＣＯＲＥＳＥＴ設定を用いて設定され得る。各ＣＯＲＥＳＥＴ設定は、探索空間の１つ又は複数のセットと関連する。また、探索空間の各セットは、１つのＣＯＲＥＳＥＴ設定と関連する。
【００３５】
この実施形態に基づいて、以下に留意されたい：
・メッセージ２（ＲＡＲ）／メッセージ３−ｒｅｔｘ／メッセージ４を含むランダムアクセスのためのＣＯＲＥＳＥＴが、次の２つのオプションによって設定され得る：
−  オプション１：ＰＢＣＨにおいて示されるＲＭＳＩについてと同じＣＯＲＥＳＥＴ設定を使用する。
−  オプション２：ランダムアクセスのためのＣＯＲＥＳＥＴ設定が、ＲＭＳＩによって設定される。
・この実施形態は、異なるＣＯＲＥＳＥＴがメッセージ２（ＲＡＲ）／メッセージ３／メッセージ４について別個に設定されることを排除しない。
オプション１で、同じＣＯＲＥＳＥＴ設定が、ＲＭＳＩ、メッセージ２、メッセージ３−ｒｅｔｘ、及びメッセージ４のために共用され、設計を簡略化する。他方では、オプション２は、より優れた設定柔軟性を提供する。ある場合には、ＲＭＳＩのために設定されたＣＯＲＥＳＥＴは、ＲＭＳＩ／メッセージ２／メッセージ３−ｒｅｔｘ／メッセージ４を運ぶ複数のＰＤＣＣＨをサポートするのに十分なだけ大きくないことがある。たとえば、周波数多重ＲＭＳＩ及びＳＳＢの場合に、ＲＭＳＩの送信の時間分及びＲＭＳＩをスケジュールするＰＤＣＣＨのＣＯＲＥＳＥＴが、４つのＯＦＤＭシンボルのみから成り得る場合、ＲＭＳＩ  ＣＯＲＥＳＥＴは、４つのシンボルに満たない時間分で設定され得る。このＲＭＳＩ  ＣＯＲＥＳＥＴは、ランダムアクセスに関連するメッセージを運ぶ異なるＰＤＣＣＨの多重化をサポートすることができないことがある。しかしながら、システム設計を簡略化するために、本発明者らは、異なるランダムアクセスメッセージをスケジュールするＰＤＣＣＨのために同じＣＯＲＥＳＥＴ設定が使用されることを提案する。ＲＭＳＩで設定される場合、単一のＣＯＲＥＳＥＴ設定が、メッセージ２／メッセージ３−ｒｅｔｘ／メッセージ４をスケジュールするランダムアクセスのために設定される。ランダムアクセスのためのＣＯＲＥＳＥＴ設定の詳細、たとえば、アグリゲーションレベルのセット及びメッセージ２／メッセージ３−ｒｅｔｘ／メッセージ４をスケジュールするＰＤＣＣＨのアグリゲーションレベルごとの候補、は、制御チャネルセッションにおいて決定され得ることに留意されたい。
【００３６】
別の例示的実施形態は、ページングのためのＣＯＲＥＳＥＴ設定を提供する。ページングＣＯＲＥＳＥＴの現在残っているオプションは、ＰＢＣＨにおけるＲＭＳＩについて指示されるものと同じパラメータを使用すること、又はＲＭＳＩにおいてそれらを指定することである。場合によってはＬＴＥとの共存の必要性及びＮＲ  ＮＷにおける異なる信号のための異なるカバレッジ要件を含む、広範な予測可能なＮＲ配備が存在する。したがって、そのページング送信がＲＭＳＩと同じＣＯＲＥＳＥＴに制限されることを必要とすることは、多数の配備における効率的ＮＷ設定の制限となることが見込まれる。したがって、これらのページング信号パラメータは、ＲＭＳＩにおいて別個に設定可能であるべきである。しかしながら、必要でないときに複製ＣＯＲＥＳＥＴ  ｉｎｆｏを避けるために、ＲＭＳＩ内のページングＣＯＲＥＳＥＴ設定ｉｎｆｏがないとき、それぞれのＲＭＳＩパラメータが適用されることがデフォルトの仮定として採用され得る。
【００３７】
１つのオプションにおいて、ページングＣＯＲＥＳＥＴは、ＲＭＳＩにおいて設定可能であるべきである。ＲＭＳＩ内にページングＣＯＲＥＳＥＴ設定ｉｎｆｏがないとき、ＰＢＣＨにおいてＲＭＳＩについて指示されたＣＯＲＥＳＥＴパラメータが、適用される。ページングを含むＰＤＳＣＨをスケジュールするＰＤＣＣＨのための（共通）ＣＯＲＥＳＥＴについて、少なくとも以下が設定される：
・所与の周波数帯域のＮＲ  ＵＥ最小ＤＬ  ＢＷ又は初期アクティブＤＬ  ＢＷＰ内に限定された、時間及び周波数−領域リソースと、
・ＲＥＧバンドルサイズ、交互的又は非交互的（ＣＣＥからＲＥＧへのマッピング）と、
・モニタリング周期性、スロットベース又は非スロットベース。
異なるシグナリングコンテキストにおけるＤＣＩ処理の統一的手法を維持するために、ＮＲページングは、たとえば、ＲＭＳＩ及びＲＡＲシグナリングと同じＣＯＲＥＳＥＴ及びＤＣＩフレームワークを使用すべきである。
【００３８】
別のオプションにおいて、ページングＣＯＲＥＳＥＴ設定は、少なくとも帯域幅（ＰＲＢ）、周波数位置及びＣＯＲＥＳＥＴ持続期間及び関連ＯＦＤＭシンボルを含む、ページングメッセージを運ぶＰＤＳＣＨをスケジュールするＰＤＣＣＨのリソースを指示する。メッセージ２  ＣＯＲＥＳＥＴ設定の詳細、たとえば、アグリゲーションレベルのセット及びメッセージ２をスケジュールするＰＤＣＣＨのアグリゲーションレベルごとの候補、は、制御チャネルセッションにおいて決定され得る。
【００３９】
所与のＣＯＲＥＳＥＴのＤＣＩ探索空間は、可能なＰＤＣＣＨ  ＣＣＥ割当て及びアグリゲーションレベル（ＡＬ：Ａｇｇｒｅｇａｔｉｏｎ  Ｌｅｖｅｌ）オプションのセットを含む。シグナリングを最小限にするために、そのＣＯＲＥＳＥＴに関連するＲＭＳＩの探索空間規定は、ページングＰＤＣＣＨ探索空間について再使用され得る。
【００４０】
別のオプションにおいて、ページングＣＯＲＥＳＥＴに関連するページングＰＤＣＣＨのための探索空間規定は、ＲＭＳＩ  ＣＯＲＥＳＥＴに関連するＲＭＳＩ  ＰＤＣＣＨのための探索空間規定と同じである。
【００４１】
本明細書で提示される解決法の例示的実施形態は、以下の技術的利点のうちの１つ又は複数を提供し得る。本明細書で提示される解決法は、ネットワークによって送信される多数の付加信号のＣＯＲＥＳＥＴの個々の設定をサポートしつつブロードキャストのみがＣＯＲＥＳＥＴ設定情報を制限したＣＯＲＥＳＥＴ設定手法を提供する。さらに、それによって、本明細書で提示される解決法は、様々な配備における柔軟なネットワーク設定をサポートしつつ不必要なブロードキャスト動作を回避する。
【００４２】
図３は、特定の実施形態による方法１００を示す。ネットワーク内のネットワークノードによって実施される、方法１００は、第１の信号におけるダウンリンク制御情報をスケジュールするダウンリンク制御チャネルの送信のための第１の時間及び／又は周波数リソースを規定する第１の送信パラメータを判定することを含む（ブロック１１０）。方法１００はさらに、１つ又は複数の第２の信号のうちのそれぞれの信号について、第１の送信パラメータ或いは、第１の送信パラメータとはそれぞれ異なる、１つ又は複数の第２の送信パラメータを選択すること（ブロック１２０）を含む。１つ又は複数の第２の送信パラメータは、１つ又は複数の第２の信号におけるダウンリンク制御情報をスケジュールするダウンリンク制御チャネルの送信のための異なる第２の時間及び／又は周波数リソースを規定する。いくつかの実施形態において、第２の送信パラメータは、各異なる第２の信号のための異なる第２の送信パラメータを含む（ブロック１２２）。いくつかの実施形態において、第２の送信パラメータは、第２の信号のうちのいくつかの信号のための異なる第２の送信パラメータを含む（ブロック１２４）。いくつかの実施形態において、第２の送信パラメータは、各第２の信号のための同じ第２の送信パラメータを含む（ブロック１２６）。方法１００はさらに、第１の送信パラメータに従って第１の信号を無線デバイスに送信することを含む（ブロック１３０）。第１の信号は、１つ又は複数の第２の送信パラメータと、１つ又は複数の第２の信号のそれぞれのための選択された送信パラメータを指示する設定指示とを含む。方法１００はさらに、対応する選択された送信パラメータに従って１つ又は複数の第２の信号を無線デバイスに送信することを含む（ブロック１４０）。
【００４３】
図４は、他の特定の実施形態による方法２００を示す。無線デバイスによって実施される、方法２００は、第１の信号に含まれるダウンリンク制御情報のダウンリンク制御チャネルスケジューリングをモニタするための第１の時間及び／又は周波数リソースを規定する第１の送信パラメータに従って設定された少なくとも１つの受信器を使用して第１の信号を受信すること（ブロック２１０）を含む。第１の信号は、１つ又は複数の第２の送信パラメータと設定指示とを含む。第１の送信パラメータとはそれぞれ異なる、１つ又は複数の第２の送信パラメータは、１つ又は複数の第２の信号に含まれるダウンリンク制御情報のダウンリンク制御チャネルスケジューリングをモニタするための異なる第２の時間及び／又は周波数リソースをそれぞれ規定する。設定指示は、第１の送信パラメータ或いは１つ又は複数の第２の信号のうちのそれぞれの信号の１つ又は複数の第２の送信パラメータの、ネットワークノードによる、選択を指示する。いくつかの実施形態において、第２の送信パラメータは、各異なる第２の信号のための異なる第２の送信パラメータを含む（ブロック２１２）。いくつかの実施形態において、第２の送信パラメータは、第２の信号のうちのいくつかのための異なる第２の送信パラメータを含む（ブロック２１４）。いくつかの実施形態において、第２の送信パラメータは、それぞれの第２の信号のための同じ第２の送信パラメータを含む（ブロック２１６）。方法２００はさらに、設定指示に応答して第１の送信パラメータ或いは１つ又は複数の第２の送信パラメータに従って１つ又は複数の第２の信号のそれぞれを受信するために無線デバイス内の少なくとも１つの受信器を設定すること（ブロック２２０）と、設定指示に応答して設定された少なくとも１つの受信器を使用して１つ又は複数の第２の信号を受信すること（ブロック２３０）とを含む。
【００４４】
前述の装置は、任意の機能手段、モジュール、ユニット、又は回路を実装することによって、本明細書に記載の方法及び任意の他の処理を実施し得ることに留意されたい。１つの実施形態において、たとえば、本装置は、図３及び４に示すステップを実行するように設定されたそれぞれの電気回路又は回路を備える。これに関して電気回路又は回路は、メモリと連動してある種の機能的処理及び／又は１つ又は複数のマイクロプロセッサを実行することに特化した回路を備え得る。たとえば、回路は、１つ又は複数のマイクロプロセッサ又はマイクロコントローラ、並びに、デジタル信号プロセッサ（ＤＳＰ：ｄｉｇｉｔａｌ  ｓｉｇｎａｌ  ｐｒｏｃｅｓｓｏｒ）、専用デジタルロジックなどを含み得る、他のデジタルハードウェアを含み得る。処理回路は、読取り専用メモリ（ＲＯＭ）、ランダムアクセスメモリ、キャッシュメモリ、フラッシュメモリデバイス、光学式記憶デバイスなどの１つの又はいくつかのタイプのメモリを含み得る、メモリに記憶されたプログラムコードを実行するように設定され得る。メモリに記憶されたプログラムコードは、いくつかの実施形態において、１つ又は複数の通信及び／又はデータ通信プロトコルを実行するためのプログラム命令、並びに、本明細書に記載の技法のうちの１つ又は複数を実施するための命令を含み得る。メモリを用いる実施形態において、メモリは、１つ又は複数のプロセッサによって実行されるときに、本明細書に記載の技法を実施するプログラムコードを記憶する。
【００４５】
図５は、例として、１つ又は複数の実施形態に従って実装されるものとしての無線デバイス３００を示す。図示するように、無線デバイス３００は、処理回路３１０及び通信回路３２０を含む。通信回路３２０（たとえば、無線回路）は、たとえば、任意の通信技術を介して、１つ又は複数の他のノードに情報を送信する及び／又は１つ又は複数の他のノードから情報を受信するように設定される。そのような通信は、無線デバイス３００の内部又は外部のいずれかにある１つ又は複数のアンテナを介して生じ得る。処理回路３１０は、メモリ３３０に記憶された命令を実行することなどによって、前述の処理を実行するように（たとえば、図４に示すように）設定される。これに関して処理回路３１０は、ある種の機能手段、ユニット、回路、又はモジュールを実装し得る。
【００４６】
図６は、さらに他の実施形態による無線ネットワーク（たとえば、図１０に示す無線ネットワーク）内の無線デバイス４００の概略的ブロック図を示す。図示するように、無線デバイス４００は、たとえば、図５の処理回路３１０を介して及び／又はソフトウェアコードを介して、様々な機能手段、ユニット、回路、又はモジュールを実装する。たとえば、本明細書に記載の方法を実施するための、これらの機能手段、ユニット、回路、又はモジュールは、たとえば、以下を含む：受信器ユニット／回路／モジュール４１０、設定ユニット／回路／モジュール４２０、及びオプションの抽出ユニット／回路／モジュール４３０。受信器ユニット／回路／モジュール４１０は、第１の信号に含まれるダウンリンク制御情報のダウンリンク制御チャネルスケジューリングをモニタするための第１の時間及び／又は周波数リソースを規定する第１の送信パラメータに従って、第１の信号を受信するように設定される。第１の信号は、１つ又は複数の第２の送信パラメータと設定指示とを含む。第１の送信パラメータとはそれぞれ異なる、１つ又は複数の第２の送信パラメータは、１つ又は複数の第２の信号に含まれるダウンリンク制御情報のダウンリンク制御チャネルスケジューリングをモニタするための異なる第２の時間及び／又は周波数リソースをそれぞれ規定する。設定指示は、第１の送信パラメータ或いは１つ又は複数の第２の信号のうちのそれぞれの信号の１つ又は複数の第２の送信パラメータの、ネットワークノードによる、選択を指示する。設定ユニット／回路／モジュール４２０は、設定指示に応答して第１の送信パラメータ或いは１つ又は複数の第２の送信パラメータに従って１つ又は複数の第２の信号のそれぞれを受信するために無線デバイス４００内の少なくとも１つの受信器４１０を設定する。設定指示に応答して設定されたものとしての、受信器ユニット／回路／モジュール４１０は、１つ又は複数の第２の信号を受信する。いくつかの実施形態において、無線デバイス４００は、たとえば、メモリ（図示せず）において記憶するために、第１の信号から１つ又は複数の第２の送信パラメータ及び設定指示を抽出するように設定されたオプションの抽出ユニット／回路／モジュール４３０を含む。
【００４７】
図７は、１つ又は複数の実施形態に従って実装されたものとしてのネットワークノード５００を示す。図示するように、ネットワークノード５００は、処理回路５１０及び通信回路５２０を含む。通信回路５２０は、たとえば、任意の通信技術を介して、１つ又は複数の他のノードに情報を送信する及び／又は１つ又は複数の他のノードから情報を受信するように設定される。処理回路５１０は、メモリ５３０に記憶された命令を実行することなどによって、前述の処理を実行するように（たとえば、図３に示すように）設定される。これに関して処理回路５１０は、ある種の機能手段、ユニット、又はモジュールを実装し得る。
【００４８】
図８は、さらに他の実施形態による無線ネットワーク（たとえば、図１０に示す無線ネットワーク）内のネットワークノード６００の概略的ブロック図を示す。図示するように、ネットワークノード６００は、たとえば、図７の処理回路５１０を介して及び／又はソフトウェアコードを介して、様々な機能手段、ユニット、回路、又はモジュールを実装する。これらの機能手段、ユニット、回路、又はモジュールは、たとえば本明細書に記載の方法を実施するために、たとえば、以下を含む：設定ユニット／回路／モジュール６１０、選択ユニット／回路／モジュール６２０、及び送信ユニット／回路／モジュール６３０。設定ユニット／回路／モジュール６１０は、第１の信号におけるダウンリンク制御情報をスケジュールするダウンリンク制御チャネルの送信のための第１の時間及び／又は周波数リソースを規定する第１の送信パラメータを判定するように設定される。選択ユニット／回路／モジュール６２０は、１つ又は複数の第２の信号のうちのそれぞれの信号について、第１の送信パラメータ或いは、第１の送信パラメータとはそれぞれ異なる、１つ又は複数の第２の送信パラメータを選択するように設定される。１つ又は複数の第２の送信パラメータは、１つ又は複数の第２の信号におけるダウンリンク制御情報をスケジュールするダウンリンク制御チャネルの送信のための異なる第２の時間及び／又は周波数リソースを規定する。送信ユニット／回路／モジュール６３０は、第１の送信パラメータに従って第１の信号を無線デバイスに送信するように設定される。第１の信号は、１つ又は複数の第２の送信パラメータと、１つ又は複数の第２の信号のそれぞれのための選択された送信パラメータを指示する設定指示とを含む。送信ユニット／回路／モジュールはさらに、対応する選択された送信パラメータに従って１つ又は複数の第２の信号を無線デバイスに送信するように設定される。
【００４９】
本明細書に記載の実施形態は対応するコンピュータプログラムをさらに含むこともまた当業者には理解されよう。
【００５０】
コンピュータプログラムは、装置の少なくとも１つのプロセッサで実行されるときに前述のそれぞれの処理のいずれかをその装置に実行させる、命令を含む。これに関してコンピュータプログラムは、前述の手段又はユニットに対応する１つ又は複数のコードモジュールを含み得る。
【００５１】
実施形態は、そのようなコンピュータプログラムを含むキャリアをさらに含む。このキャリアは、電気信号、光信号、無線信号、又はコンピュータ可読記憶媒体のうちの１つを含み得る。
【００５２】
これに関連して、本明細書に記載の実施形態はまた、非一時的コンピュータ可読（記憶又は記録）媒体に記憶された、及び、装置のプロセッサによって実行されるときに、前述のようにその装置を実行させる命令を含む、コンピュータプログラム製品を含む。
【００５３】
実施形態はさらに、コンピュータプログラム製品がコンピュータデバイスによって実行されるときに本明細書に記載の実施形態のうちのいずれかの実施形態のステップを実行するためのプログラムコード部分を含むコンピュータプログラム製品を含む。このコンピュータプログラム製品は、コンピュータ可読記録媒体に記憶され得る。
【００５４】
付加的実施形態をここで説明する。これらの実施形態のうちの少なくともいくつかは、例示を目的としてある特定のコンテキスト及び／又は無線ネットワークタイプにおいて適用可能として説明されることがあるが、それらの実施形態は、明記されていない他のコンテキスト及び／又は無線ネットワークタイプにおいて同様に適用可能である。
【００５５】
ネットワークノードによって実施されるものとしての、本明細書で提示される解決法の１つの例示的実施形態の流れは、以下を含む。提示された背景を参照すると、本明細書で「送信パラメータ」という用語は、ＣＯＲＥＳＥＴを主に指すが、ＰＤＣＣＨ探索空間、ＤＣＩフォーマット、信号ヌメロロジなどのような他のパラメータも指し得る。
【００５６】
この例示的実施形態によれば、ネットワークノードは、ＲＭＳＩ送信パラメータ設定を判定する。たとえば、ＮＲネットワークノードは、ＲＭＳＩ送信をスケジュールするための少なくとも１つのＣＯＲＥＳＥＴ設定を判定し得る。その選択は、たとえば、ネットワークノードなどに基づき得る（たとえば、複数の探索オプションを有するＲＭＳＩ  ＣＯＲＥＳＥＴが、データ送信に干渉せずにＲＭＳＩをスケジュールする柔軟性の向上をもたらす）。ネットワークノードは、たとえば、既存の２ＧＰＰ  ＲＡＮ１標準に従って、ＭＩＢにおいてＲＭＳＩ送信パラメータ設定を信号伝達する。ネットワークノードはさらに、代替送信パラメータ設定、たとえば、付加信号送信のための付加的ＣＯＲＥＳＥＴ設定、を判定する。付加信号は、たとえば、ＲＡＲ、ＯＳＩ、ページング、メッセージ３−ｒｔｘ、メッセージ４などでもよい。選択は、全体のネットワーク負荷、アクセスシグナリング負荷、レイテンシ要件、アイドル及び非アクティブ状態にあるＵＥの数、及びそれらのページングシグナリング（たとえば、ＲＭＳＩ  ＣＯＲＥＳＥＴとは異なる代替ＣＯＲＥＳＥＴは、ページング及びランダムアクセススケジューリングの柔軟性の向上をもたらす）などに基づき得る。ネットワークノードは、１つ又は複数の付加信号のそれぞれについて、ＲＭＳＩ送信パラメータ設定が使用されることになるか又は代替送信パラメータ設定が使用されることになるかを選択する。たとえば、設定決定ステップにおける基準は、各対応する付加信号に適用され得る。ネットワークノードはさらに、選択された送信パラメータ設定モードに基づいてＲＭＳＩ／ＳＩＢ１において、いくつかの実施形態においてフラグセットを含む、送信パラメータ設定インジケータを判定する。たとえば、ネットワークノードは、選択された決定を伝える１つ又は複数のビットを含むＣＯＲＥＳＥＴインジケータを作成し得る。ネットワークノードは、代替設定及びインジケータを含む、ＲＭＳＩを送信し、選択された送信パラメータに従って１つ又は複数の付加信号を送信する。
【００５７】
１つの例示的実施形態において、インジケータは、各ビット位置が所定の信号のセクションに対応する、ビットマップである。一例として、第１の位置における０は、ＲＡＲ  ＰＤＣＣＨがＲＭＳＩ  ＣＯＲＥＳＥＴに従って送信されることを示し得、その位置における１は、ＲＡＲ  ＰＤＣＣＨが代替ＣＯＲＥＳＥＴに従って送信されることを示し得る。第２の位置はＯＳＩ選択について同じ事を示し、第３の位置はページング選択について同じ事を示すなどする。
【００５８】
別の例示的実施形態において、インジケータは、前述のビットマップのうちの１つを黙示する複数の可能な値のうちの１つにエンコードされる。一例として、値００は、すべての付加信号がＲＭＳＩ  ＣＯＲＥＳＥＴを使用することを示し得、値０１はＲＡＲのみが代替ＣＯＲＥＳＥＴを使用することを、値１０はページングのみが代替ＣＯＲＥＳＥＴを使用することを、そして、値１１はすべての付加信号が代替ＣＯＲＥＳＥＴを使用することを示し得る。異なる機能（ＲＡＲ、ページング、ＯＳＩなど）のためのＣＯＲＥＳＥＴ選択に値をマップするための他の手法が使用され得ることが理解されよう。
【００５９】
別の例示的実施形態において、インジケータは、単一のビットのみを含み、そこで、ビット値は、代替ＣＯＲＥＳＥＴがすべての付加信号のために使用されるかどうかを示す。たとえば、０は、ＲＭＳＩをスケジュールするためのＣＯＲＥＳＥＴがすべての付加信号のために使用されることを黙示し、そして、１は、代替ＣＯＲＥＳＥＴがすべての付加信号のために使用されることを黙示する。
【００６０】
１つの例示的実施形態において、ネットワークノードが、付加信号のうちのいずれかの信号のための代替ＣＯＲＥＳＥＴを選択しない場合、ネットワークノードは、代替ＣＯＲＥＳＥＴ設定ｉｎｆｏ、ＣＯＲＥＳＥＴインジケータ、又はその両方を省略し得る。そのような省略は、たとえば、黙示的設定指示を表す。
【００６１】
ネットワークノードによって実施されるものとしての、本明細書で提示される解決法の１つの例示的実施形態の流れは、以下を含む。無線デバイスは、ＰＢＣＨを受信し、ＭＩＢ情報を復号すること及びＲＭＳＩ送信パラメータ情報を抽出することによってＭＩＢからＲＭＳＩ送信パラメータ設定を取得する。無線デバイスは、次いで、たとえば、送信パラメータ設定に従って受信器を設定すること及びＲＭＳＩを復号してＳＩＢ１情報を取得することによって、送信パラメータ設定に従ってＲＭＳＩを受信する。無線デバイスは、代替送信パラメータ設定情報及び送信パラメータ設定インジケータをＳＩＢ２から抽出する。たとえば、無線デバイスがＳＩＢ１を復号した後、無線デバイスは、代替ＣＯＲＥＳＥＴ設定情報及びＣＯＲＥＳＥＴインジケータを抽出する。インジケータにおいて表される各付加信号について、無線デバイスは、フラグビット値に基づいてＲＭＳＩ送信パラメータ設定又は代替送信パラメータ設定を使用するように受信器を設定する。たとえば、無線デバイスは、ＳＩＢ１内のインジケータに従って１つ又は複数の付加信号を受信するように受信器を設定する。各ビット位置について、対応する付加信号が、その位置におけるビット値（０又は１）に応じて、ＲＭＳＩ  ＣＯＲＥＳＥＴ又は代替ＣＯＲＥＳＥＴを使用して受信される。１つの例示的実施形態において、インジケータ及び／又は代替ＣＯＲＥＳＥＴ設定が存在しない場合、無線デバイスは、ＲＭＳＩ  ＣＯＲＥＳＥＴをすべての付加信号受信に適用するように黙示的に命令される。無線デバイスは、次いで、採用された設定に従って付加信号を受信する。他の形の黙示的設定指示もまた、本明細書で提示される解決法のために使用され得ることが理解されよう。
【００６２】
図９は、本明細書で提示される解決法の一例を示す。図９の上部は、ＣＯＲＥＳＥＴ設定が提供される物理チャネルを示す。ＳＳブロックで開始して、それは、１次同期信号（ＰＳＳ）、２次同期信号（ＳＳＳ）及び物理ブロードキャストチャネル（ＰＢＣＨ）を含む。ＰＢＣＨは、残余最小システム情報（ＲＭＳＩ）を受信するために使用される第１のＣＯＲＥＳＥＴをＵＥに提供するマスタ情報ブロック（ＭＩＢ）を含む。ＰＢＣＨにおいて規定されたＣＯＲＥＳＥＴ内部では、ＵＥは、物理ダウンリンク共有チャネル（ＰＤＳＣＨ）をスケジュールするダウンリンク制御情報（ＤＣＩ）を含む物理ダウンリンク制御チャネル（ＰＤＣＣＨ）を見つけることになる。
【００６３】
最小システム情報（ＳＩ）は、ＳＳブロックから導出されたシステム情報と、システム情報ブロック１（ＳＩＢ１）において提供された残余最小システム情報（ＲＭＳＩ）とを含む。
【００６４】
いくつかの配備において、ＭＩＢにおいて規定されるＣＯＲＥＳＥＴは、必要とされる付加的機能、たとえば、ページングメッセージのプロビジョニング、ランダムアクセスメッセージ（ＭＳＧ２、ＭＳＧ３のスケジューリング、及びＭＳＧ４）、及びオンデマンドの他のシステム情報（ＯＳＩ、最小限ＳＩの一部ではないすべてのＳＩとして規定される）のプロビジョニング、のうちのいくつかもサポートするのに十分ではない。それを目的として、ＳＩＢ１は、第２のＣＯＲＥＳＥＴが規定された情報フィールドを含む（この第２のＣＯＲＥＳＥＴ設定は、オプションになり得、その場合、本明細書で開示される解決法は、それが実際に規定されるときにのみ、適用されることに留意されたい）。第２のＣＯＲＥＳＥＴ（ＣｏｒｅｓｅｔＣｏｎｆｉｇ２と示された）はＳＩＢ１において設定されると想定すると、ここで、他の機能のために使用されるべきＣＯＲＥＳＥＴを選択することができる。例示的実施形態において、ＳＩＢ１は、ページング設定、ＯＳＩ設定、ＲＡＲ設定、及びジェネリック（まだ規定されていない）ｆｕｎｃｔｉｏｎＸｃｏｎｆｉｇｕｒａｔｉｏｎを含むことが分かる。
【００６５】
これらの設定のそれぞれは、ＣＯＲＥＳＥＴ選択設定（ｃｏｒｅＳｅｔＳｅｌｅｃｔｉｏｎと示された）を含む。値「ｃｏｒｅＳｅｔＳｅｌｅｃｔｉｏｎ＝１」は、この例示的実施形態では、ＭＩＢにおいて規定された「第１の」ＣＯＲＥＳＥＴがこの機能のために使用され、その一方で、値「ｃｏｒｅＳｅｔＳｅｌｅｃｔｉｏｎ＝２」は、ＳＩＢ１において規定された「第２の」ＣＯＲＥＳＥＴが使用されることを示す。
【００６６】
ＳＩＢ１は複数のＣＯＲＥＳＥＴ規定を含み得、その場合、「ｃｏｒｅＳｅｔＳｅｌｅｃｔｉｏｎ」パラメータは、より多くの代替で拡張されることになることに留意されたい。
【００６７】
他の実施形態において、関連するパラメータは、「ｃｏｎｔｒｏｌＲｅｓｏｕｒｃｅＳｅｔＩｄ」又は「ｓｅａｒｃｈＳｐａｃｅＩｄ」と称され得る。
【００６８】
本開示の技法は、ＣＯＲＥＳＥＴ以外の送信パラメータ、たとえばＣＯＲＥＳＥＴに関連するＰＤＣＣＨ探索空間、信号ヌメロロジなど、を設定するために使用され得る。
【００６９】
本明細書で提示される解決法の手法は、述べられたアクセス、ＳＩ、及びページング信号以外の信号に適用され得る。他の制御信号、専用信号、及びＵＥ特有の信号のためのＣＯＲＥＳＥＴ又は他のパラメータもまた、示され得る。
【００７０】
本明細書で使用される専門用語は、３ＧＰＰ  ＮＲ  ＲＡＮ１−２合意と揃えられている。しかしながら、実施形態の原理は、他のＲＡＴ及びセルラネットワーク実装形態に適用可能になり得る。
【００７１】
いくつかの実施形態において、ＰＢＣＨ／ＭＩＢ及び／又はＲＭＳＩ／ＳＩＢ１は、複数のＣＯＲＥＳＥＴ規定を含み得る。その場合、第１の及び第２のＣＯＲＥＳＥＴ設定は、それぞれに、ＭＩＢ及びＳＩＢ１において指定されたすべてのＣＯＲＥＳＥＴを含むことを理解されたい。
【００７２】
本明細書に記載の主題は、任意の適切な構成要素を使用する任意の適切なタイプのシステムにおいて実施され得るが、本明細書で開示される実施形態は、図１０に示す例示的無線ネットワークなどの無線ネットワークに関して説明されている。簡潔にするために、図１０の無線ネットワークは、ネットワーク２１０６、ネットワークノード２１６０及び２１６０ｂ、並びに、ＷＤ２１１０、２１１０ｂ、及び２１１０ｃのみを示す。実際には、無線ネットワークは、無線デバイス間の通信或いは無線デバイスと固定電話、サービスプロバイダ、又は任意の他のネットワークノード若しくはエンドデバイスなどの別の通信デバイスとの間の通信をサポートするのに適した任意の付加的要素をさらに含み得る。示されている構成要素のうちで、ネットワークノード２１６０及び無線デバイス（ＷＤ）２１１０が、さらに詳しく描かれる。無線ネットワークは、無線ネットワークによって又はこれを介して提供されるサービスへの無線デバイスのアクセス及び／又はそのようなサービスの無線デバイスの使用を円滑にするために、通信及び他のタイプのサービスを１つ又は複数の無線デバイスに提供し得る。
【００７３】
無線ネットワークは、任意のタイプの通信、通信、データ、セルラ、及び／又は無線ネットワーク又は他の類似のタイプのシステムを備える、及び／又はそれらとインターフェースすることができる。一部の実施形態では、無線ネットワークは、特定の標準又は他のタイプの予め規定されたルール又は手続きに従って動作するように設定され得る。したがって、無線ネットワークの特定の実施形態は、グローバルシステムフォーモバイルコミュニケーションズ（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ユニバーサルモバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ロングタームエボリューション（ＬＴＥ：Ｌｏｎｇ  Ｔｅｒｍ  Ｅｖｏｌｕｔｉｏｎ）、ナローバンドＩｏＴ（ＮＢ−ＩｏＴ）、及び／又は他の適切な２Ｇ、３Ｇ、４Ｇ、又は５Ｇ標準などの通信標準、ＩＥＥＥ８０２．１１標準などの無線ローカルエリアネットワーク（ＷＬＡＮ：ｗｉｒｅｌｅｓｓ  ｌｏｃａｌ  ａｒｅａ  ｎｅｔｗｏｒｋ）標準、並びに／或いは、ＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ブルートゥース、Ｚ−Ｗａｖｅ及び／又はＺｉｇＢｅｅ標準などの任意の他の適切な無線通信標準を実装し得る。
【００７４】
ネットワーク２１０６は、１つ又は複数のバックホールネットワーク、コアネットワーク、ＩＰネットワーク、公衆交換電話網（ＰＳＴＮ：ｐｕｂｌｉｃ  ｓｗｉｔｃｈｅｄ  ｔｅｌｅｐｈｏｎｅ  ｎｅｔｗｏｒｋ）、パケットデータネットワーク、光ネットワーク、ワイドエリアネットワーク（ＷＡＮ）、ローカルエリアネットワーク（ＬＡＮ）、無線ローカルエリアネットワーク（ＷＬＡＮ）、ワイヤードネットワーク、無線ネットワーク、メトロポリタンエリアネットワーク、及び、デバイス間の通信を可能にするための他のネットワークを備え得る。
【００７５】
ネットワークノード２１６０及びＷＤ２１１０は、さらに詳しく後述される様々な構成要素を備える。これらの構成要素は、無線ネットワークにおいて無線接続を提供することなど、ネットワークノード及び／又は無線デバイス機能性を提供するために連携する。異なる実施形態において、無線ネットワークは、任意の数のワイヤード又は無線ネットワーク、ネットワークノード、基地局、コントローラ、無線デバイス、リレー局、並びに／或いは、ワイヤード接続又は無線接続のいずれを介してでもデータ及び／又は信号の通信を円滑にする又はこれに参加する任意の他の構成要素又はシステムを備え得る。
【００７６】
本明細書では、ネットワークノードは、無線デバイスへの無線アクセスを可能にする及び／又は提供するために無線デバイスと及び／又は無線ネットワーク内の他のネットワークノード又は機器と直接的又は間接的に通信する並びに／或いは無線ネットワークにおいて他の機能（たとえば、管理）を実行する能力を有する、そのように設定された、配置された及び／又は動作可能な機器を指す。ネットワークノードの例は、アクセスポイント（ＡＰ）（たとえば、無線アクセスポイント）、基地局（ＢＳ）（たとえば、無線基地局、ノードＢ、発展型ノードＢ（ｅＮＢ）及びＮＲ  ＮｏｄｅＢ（ｇＮＢ））を含むが、これらに限定されない。基地局は、それらが提供するカバレッジの量（又は、つまり、それらの送信電力レベル）に基づいて分類することができ、その場合、フェムト基地局、ピコ基地局、マイクロ基地局、又はマクロ基地局と呼ばれることもある。基地局は、リレーノード又はリレーを制御するリレードナーノードでもよい。ネットワークノードはまた、集中型デジタルユニット及び／又はリモート無線ユニット（ＲＲＵ）、リモート無線ヘッド（ＲＲＨ）と時に称される、などの分散型無線基地局の１つ又は複数の（又はすべての）部分を含み得る。そのようなリモート無線ユニットは、アンテナ統合無線のようにアンテナと統合されても統合されなくてもよい。分散型無線基地局の部分は、分散型アンテナシステム（ＤＡＳ：ｄｉｓｔｒｉｂｕｔｅｄ  ａｎｔｅｎｎａ  ｓｙｓｔｅｍ）内のノードと呼ばれることもある。ネットワークノードのさらなる例は、ＭＳＲ  ＢＳなどのマルチスタンダード無線（ＭＳＲ：ｍｕｌｔｉ−ｓｔａｎｄａｒｄ  ｒａｄｉｏ）機器、無線ネットワークコントローラ（ＲＮＣ：ｒａｄｉｏ  ｎｅｔｗｏｒｋ  ｃｏｎｔｒｏｌｌｅｒ）又は基地局コントローラ（ＢＳＣ：ｂａｓｅ  ｓｔａｔｉｏｎ  ｃｏｎｔｒｏｌｌｅｒ）などのネットワークコントローラ、基地局トランシーバ（ＢＴＳ：ｂａｓｅ  ｔｒａｎｓｃｅｉｖｅｒ  ｓｔａｔｉｏｎ）、送信ポイント、送信ノード、マルチセル／マルチキャストコーディネーションエンティティ（ＭＣＥ：ｍｕｌｔｉ−ｃｅｌｌ／ｍｕｌｔｉｃａｓｔ  ｃｏｏｒｄｉｎａｔｉｏｎ  ｅｎｔｉｔｙ）、コアネットワークノード（たとえば、ＭＳＣ、ＭＭＥ）、Ｏ＆Ｍノード、ＯＳＳノード、ＳＯＮノード、ポジショニングノード（たとえば、Ｅ−ＳＭＬＣ）、及び／又はＭＤＴを含む。別の例として、ネットワークノードは、さらに詳しく後述するような仮想ネットワークノードでもよい。しかしながら、より一般的には、ネットワークノードは、無線ネットワークへのアクセスを無線デバイスに可能にする及び／又は提供するための或いは無線ネットワークにアクセスした無線デバイスに何らかのサービスを提供するための能力を有する、そのように設定された、配置された、及び／又は動作可能な任意の適切なデバイス（又はデバイスのグループ）を表し得る。
【００７７】
図１０において、ネットワークノード２１６０は、処理回路２１７０、デバイス可読媒体２１８０、インターフェース２１９０、補助機器２１８４、電源２１８６、電力回路２１８７、及びアンテナ２１６２を含む。図１０の例示的無線ネットワークに示されたネットワークノード２１６０は、ハードウェア構成要素の図示された組合せを含むデバイスを表し得るが、他の実施形態は、構成要素の異なる組合せを有するネットワークノードを備え得る。タスク、特徴、機能及び本明細書で開示される方法を実行するために必要とされるハードウェア及び／又はソフトウェアの任意の適切な組合せをネットワークノードは備えることが、理解されよう。さらに、ネットワークノード２１６０の構成要素は、より大きなボックス内に位置する又は複数のボックス内にネストされた単一ボックスとして図示されているが、実際には、ネットワークノードは、単一の図示された構成要素を構成する複数の異なる物理構成要素を備え得る（たとえば、デバイス可読媒体２１８０は、複数の別個のハードドライブ並びに複数のＲＡＭモジュールを備え得る）。
【００７８】
同様に、ネットワークノード２１６０は、独自のそれぞれの構成要素をそれぞれが有し得る複数の物理的に別個の構成要素（たとえば、ＮｏｄｅＢ構成要素及びＲＮＣ構成要素、又はＢＴＳ構成要素及びＢＳＣ構成要素など）で構成され得る。ネットワークノード２１６０が複数の別個の構成要素（たとえば、ＢＴＳ及びＢＳＣ構成要素）を備えるある種のシナリオでは、別個の構成要素のうちの１つ又は複数は、いくつかのネットワークノードの間で共用され得る。たとえば、単一ＲＮＣは、複数のＮｏｄｅＢを制御し得る。そのようなシナリオでは、各固有のＮｏｄｅＢ及びＲＮＣペアは、場合によっては、単一の別個のネットワークノードと考えられ得る。一部の実施形態では、ネットワークノード２１６０は、複数の無線アクセス技術（ＲＡＴ）をサポートするように設定され得る。そのような実施形態では、いくつかの構成要素は、二重にされ得（たとえば、異なるＲＡＴのための別個のデバイス可読媒体２１８０）、いくつかの構成要素は再使用され得る（たとえば、同じアンテナ２１６２がＲＡＴによって共用され得る）。ネットワークノード２１６０はまた、たとえば、ＧＳＭ、ＷＣＤＭＡ、ＬＴＥ、ＮＲ、ＷｉＦｉ、又はブルートゥース無線技術など、ネットワークノード２１６０に統合された異なる無線技術のための様々な図示された構成要素の複数のセットを含み得る。これらの無線技術は、ネットワークノード２１６０内の同じ又は異なるチップ又はチップのセット及び他の構成要素内に統合され得る。
【００７９】
処理回路２１７０は、ネットワークノードによって提供されているものとして本明細書に記載された任意の判定、計算又は類似の動作（たとえば、ある種の取得動作）を実行するように設定される。処理回路２１７０によって実行されるこれらの動作は、たとえば、取得された情報を他の情報に変換すること、取得された情報又は変換された情報をネットワークノードに記憶された情報と比較すること、及び／又は取得された情報又は変換された情報に基づいて１つ又は複数の動作を実行することによって、処理回路２１７０によって取得された情報を処理すること、並びに前記処理の結果として判定を行うことを含み得る。
【００８０】
処理回路２１７０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体２１８０などの他のネットワークノード２１６０構成要素と併せて、ネットワークノード２１６０機能を提供するように動作可能なハードウェア、ソフトウェア及び／又は符号化されたロジックの組合せを備え得る。たとえば、処理回路２１７０は、デバイス可読媒体２１８０に又は処理回路２１７０内のメモリに記憶された命令を実行し得る。そのような機能性は、本明細書で論じられる様々な無線特徴、機能、又は利益のいずれかの提供を含み得る。一部の実施形態では、処理回路２１７０は、システムオンチップ（ＳＯＣ）を含み得る。
【００８１】
一部の実施形態では、処理回路２１７０は、無線周波数（ＲＦ）トランシーバ回路２１７２及びベースバンド処理回路２１７４のうちの１つ又は複数を含み得る。一部の実施形態では、無線周波数（ＲＦ）トランシーバ回路２１７２及びベースバンド処理回路２１７４は、別個のチップ（又はチップのセット）、ボード、又は、無線ユニット及びデジタルユニットなどのユニット上でもよい。代替実施形態において、ＲＦトランシーバ回路２１７２及びベースバンド処理回路２１７４の一部又はすべては、同じチップ又はチップのセット、ボード、又はユニット上でもよい。
【００８２】
ある種の実施形態では、ネットワークノード、基地局、ｅＮＢ又は他のそのようなネットワークデバイスによって提供されているものとしての本明細書に記載の機能性の一部又はすべては、デバイス可読媒体２１８０又は処理回路２１７０内のメモリに記憶された命令を実行する処理回路２１７０によって実行され得る。代替実施形態において、機能性のうちの一部又はすべては、ハードワイヤード方式などで、別個の又はディスクリートデバイスの可読媒体に記憶された命令を実行することなしに処理回路２１７０によって提供され得る。それらの実施形態のいずれにおいてでも、デバイス可読記憶媒体に記憶された命令を実行してもしなくても、処理回路２１７０は、記載された機能を実行するように設定することができる。そのような機能によってもたらされる利益は、単独で処理回路２１７０に又はネットワークノード２１６０の他の構成要素に制限されないが、ネットワークノード２１６０全体によって、並びに／或いは一般にエンドユーザ及び無線ネットワークによって享受される。
【００８３】
デバイス可読媒体２１８０は、処理回路２１７０によって使用され得る情報、データ、及び／又は命令を記憶する永続記憶装置、ソリッドステートメモリ、リモートに搭載されたメモリ、磁気媒体、光媒体、ランダムアクセスメモリ（ＲＡＭ）、読取り専用メモリ（ＲＯＭ）、大容量記憶媒体（たとえば、ハードディスク）、取り外し可能記憶媒体（たとえば、フラッシュドライブ、コンパクトディスク（ＣＤ）又はデジタル多用途ディスク（ＤＶＤ））、及び／又は任意の他の揮発性又は不揮発性の、非一時的デバイス可読及び／又はコンピュータ実行可能なメモリデバイスを含むがこれらに限定されない、任意の形の揮発性又は不揮発性コンピュータ可読メモリを備え得る。デバイス可読媒体２１８０は、コンピュータプログラム、ソフトウェア、ロジック、ルール、コード、テーブルなどのうちの１つ又は複数を含むアプリケーション、及び／又は処理回路２１７０によって実行することができる及びネットワークノード２１６０によって使用することができる他の命令を含む、任意の適切な命令、データ又は情報を記憶し得る。デバイス可読媒体２１８０は、処理回路２１７０によって行われる任意の計算及び／又はインターフェース２１９０を介して受信される任意のデータを記憶するために使用され得る。一部の実施形態では、処理回路２１７０及びデバイス可読媒体２１８０は、統合されると考えられ得る。
【００８４】
インターフェース２１９０は、ネットワークノード２１６０、ネットワーク２１０６、及び／又はＷＤ２１１０の間のシグナリング及び／又はデータのワイヤード又は無線通信において使用される。図示されているように、インターフェース２１９０は、たとえば、ワイヤード接続を介してネットワーク２１０６に及びネットワーク２１０６から、データを送信及び受信するために、ポート／端末２１９４を備える。インターフェース２１９０はまた、アンテナ２１６２に連結され得る又はある種の実施形態においてアンテナ２１６２の一部であることがある、無線フロントエンド回路２１９２を含む。無線フロントエンド回路２１９２は、フィルタ２１９８及び増幅器２１９６を備える。無線フロントエンド回路２１９２は、アンテナ２１６２及び処理回路２１７０に接続され得る。無線フロントエンド回路は、アンテナ２１６２と処理回路２１７０との間で通信される信号を調整するように設定され得る。無線フロントエンド回路２１９２は、無線接続を介して他のネットワークノード又はＷＤに送出されることになるデジタルデータを受信し得る。無線フロントエンド回路２１９２は、フィルタ２１９８及び／又は増幅器２１９６の組合せを使用する適切なチャンネル及び帯域幅パラメータを有する無線信号にデジタルデータを変換し得る。無線信号は、次いで、アンテナ２１６２を介して送信され得る。同様に、データを受信するとき、アンテナ２１６２は、次いで無線フロントエンド回路２１９２によってデジタルデータに変換される無線信号を収集し得る。デジタルデータは、処理回路２１７０に渡され得る。他の実施形態において、インターフェースは、異なる構成要素及び／又は異なる組合せの構成要素を備え得る。
【００８５】
ある種の代替実施形態において、ネットワークノード２１６０は、別個の無線フロントエンド回路２１９２を含まないことがあり、代わりに、処理回路２１７０が、無線フロントエンド回路を備え得、別個の無線フロントエンド回路２１９２なしにアンテナ２１６２に接続され得る。同様に、一部の実施形態では、すべての又は一部のＲＦトランシーバ回路２１７２は、インターフェース２１９０の一部と考えられ得る。さらに他の実施形態において、インターフェース２１９０は、１つ又は複数のポート又は端末２１９４、無線フロントエンド回路２１９２、並びにＲＦトランシーバ回路２１７２、無線ユニット（図示せず）の一部としての、を含み得、そして、インターフェース２１９０は、デジタルユニット（図示せず）の一部であるベースバンド処理回路２１７４と通信し得る。
【００８６】
アンテナ２１６２は、無線信号を送信及び／又は受信するように設定された、１つ又は複数のアンテナ、又はアンテナアレイを含み得る。アンテナ２１６２は、無線フロントエンド回路２１９０に結合され得、無線にデータ及び／又は信号を送信及び受信する能力を有する任意のタイプのアンテナでもよい。一部の実施形態では、アンテナ２１６２は、たとえば、２ＧＨｚと６６ＧＨｚとの間で、無線信号を送信／受信するように動作可能な１つ又は複数の全方向性の、セクタ又はパネルアンテナを備え得る。全方向性アンテナは、任意の方向において無線信号を送信／受信するために使用され得、セクタアンテナは、特定のエリア内のデバイスから無線信号を送信／受信するために使用され得、そして、パネルアンテナは、相対的に直線で無線信号を送信／受信するために使用されるサイトアンテナのラインでもよい。場合によっては、複数のアンテナの使用は、ＭＩＭＯと称され得る。ある種の実施形態では、アンテナ２１６２は、ネットワークノード２１６０とは別個でもよく、インターフェース又はポートを介してネットワークノード２１６０に接続可能になり得る。
【００８７】
アンテナ２１６２、インターフェース２１９０、及び／又は処理回路２１７０は、ネットワークノードによって実行されるものとして本明細書に記載された任意の受信動作及び／又はある種の取得動作を実行するように設定され得る。任意の情報、データ及び／又は信号が、無線デバイス、別のネットワークノード及び／又は任意の他のネットワーク機器から受信され得る。同様に、アンテナ２１６２、インターフェース２１９０、及び／又は処理回路２１７０は、ネットワークノードによって実行されるものとして本明細書に記載された任意の送信動作を実行するように設定され得る。任意の情報、データ及び／又は信号が、無線デバイス、別のネットワークノード及び／又は任意の他のネットワーク機器に送信され得る。
【００８８】
電力回路２１８７は、電力管理回路を備え得る、又はこれに連結され得、本明細書に記載の機能性を実行するための電力をネットワークノード２１６０の構成要素に供給するように設定される。電力回路２１８７は、電源２１８６から電力を受信し得る。電源２１８６及び／又は電力回路２１８７は、それぞれの構成要素に適した形でネットワークノード２１０６の様々な構成要素に電力を提供する（たとえば、それぞれの構成要素のために必要とされる電圧及び電流レベルで）ように設定され得る。電源２１８６は、電力回路２１８７及び／又はネットワークノード２１６０に含まれても、これらの外部でもよい。たとえば、ネットワークノード２１６０は、電気ケーブルなどの入力回路又はインターフェースを介して外部電源（たとえば、電気コンセント）に接続可能になり得、それにより、外部電源が電力回路２１８７に電力を供給する。さらなる例として、電源２１８６は、電力回路２１８７に接続された又はこれに統合された、バッテリ又はバッテリパックの形で電力のソースを備え得る。バッテリは、外部電源が切れた場合に非常用電源を提供し得る。光電池デバイスなどの他のタイプの電源もまた使用され得る。
【００８９】
ネットワークノード２１６０の代替実施形態は、本明細書に記載の機能性及び／又は本明細書に記載の主題をサポートするために必要な任意の機能性のうちのいずれかを含む、ネットワークノードの機能性のある種の態様を提供する責任を負い得る図１に示されたものを超える追加の構成要素を含み得る。たとえば、ネットワークノード２１６０は、ネットワークノード２１６０への情報の入力を可能にするために、及びネットワークノード２１６０からの情報の出力を可能にするために、ユーザインターフェース機器を含み得る。これは、ネットワークノード２１６０のための診断、メンテナンス、修理、及び他の管理機能をユーザが実行することを可能にし得る。
【００９０】
本明細書では、無線デバイス（ＷＤ）は、ネットワークノード及び／又は他の無線デバイスと無線に通信する能力を有する、そのように設定された、配置された及び／又は動作可能なデバイスを指す。特に断りのない限り、ＷＤという用語は、ユーザ機器（ＵＥ）と同義で本明細書において使用され得る。無線に通信することは、電磁波、無線波、赤外線波、及び／又は電波を介して情報を伝えるのに適した他のタイプの信号を使用して無線信号を送信／受信することを含み得る。一部の実施形態では、ＷＤは、直接の人間の相互作用なしに情報を送信及び／又は受信するように設定され得る。たとえば、ＷＤは、内部又は外部イベントによってトリガされたとき、又はネットワークからの要求に応答して、所定のスケジュールでネットワークに情報を送信するように設計され得る。ＷＤの例は、スマートフォン、携帯電話、セルフォン、ボイスオーバーＩＰ（ＶｏＩＰ）フォン、無線ローカルループフォン、デスクトップコンピュータ、携帯情報端末（ＰＤＡ）、無線カメラ、ゲーム機又はデバイス、音楽記憶デバイス、再生装置、ウェアラブル端末デバイス、無線エンドポイント、モバイル局、タブレット、ラップトップ、ラップトップ埋め込み機器（ＬＥＥ）、ラップトップ搭載機器（ＬＭＥ）、スマートデバイス、無線顧客構内機器（ＣＰＥ）。車両搭載無線端末デバイスなどを含むが、これらに限定されない。ＷＤは、たとえば、サイドリンク通信、車両対車両（Ｖ２Ｖ：ｖｅｈｉｃｌｅ−ｔｏ−ｖｅｈｉｃｌｅ）、車両対インフラストラクチャ（Ｖ２Ｉ：ｖｅｈｉｃｌｅ−ｔｏ−ｉｎｆｒａｓｔｒｕｃｔｕｒｅ）、車両対あらゆる物（Ｖ２Ｘ：ｖｅｈｉｃｌｅ−ｔｏ−ｅｖｅｒｙｔｈｉｎｇ）の３ＧＰＰ標準を実装することによって、デバイス対デバイス（Ｄ２Ｄ）通信をサポートすることができ、この場合、Ｄ２Ｄ通信デバイスと称され得る。さらに別の特定の例として、ＩｏＴ（Ｉｎｔｅｒｎｅｔ  ｏｆ  Ｔｈｉｎｇｓ）シナリオにおいて、ＷＤは、モニタリング及び／又は測定を実行する及びそのようなモニタリング及び／又は測定の結果を別のＷＤ及び／又はネットワークノードに送信するマシン又は他のデバイスを表し得る。ＷＤは、この場合、３ＧＰＰコンテキストではＭＴＣデバイスと称され得るマシン対マシン（Ｍ２Ｍ）デバイスでもよい。１つの特定の例として、ＷＤは、３ＧＰＰ  ＮＢ−ＩｏＴ（ｎａｒｒｏｗ  ｂａｎｄ  ｉｎｔｅｒｎｅｔ  ｏｆ  ｔｈｉｎｇｓ）標準を実装するＵＥでもよい。そのようなマシン又はデバイスの特定の例は、センサ、電力メータなどの計測デバイス、産業マシン、又は家庭用若しくは個人用器具（たとえば、冷蔵庫、テレビジョンなど）、パーソナルウェアラブル（たとえば、腕時計、フィットネストラッカなど）である。他のシナリオにおいて、ＷＤは、その動作状況の監視及び／又は報告或いはその動作に関連する他の機能の能力を有する車両又は他の機器を表し得る。前述のようなＷＤは、無線接続のエンドポイントを表し得、その場合、デバイスは無線端末と称され得る。さらに、前述のようなＷＤは、モバイルでもよく、その場合、それはモバイルデバイス又はモバイル端末とも称され得る。
【００９１】
図示されているように、無線デバイス２１１０は、アンテナ２１１１、インターフェース２１１４、処理回路２１２０、デバイス可読媒体２１３０、ユーザインターフェース機器２１３２、補助機器２１３４、電源２１３６及び電力回路２１３７を含む。ＷＤ２１１０は、たとえば、少し例を挙げると、ＧＳＭ、ＷＣＤＭＡ、ＬＴＥ、ＮＲ、ＷｉＦｉ、ＷｉＭＡＸ、又はブルートゥース無線技術など、ＷＤ２１１０によってサポートされる異なる無線技術のための、図示された構成要素のうちの１つ又は複数の構成要素の複数のセットを含み得る。これらの無線技術は、ＷＤ２１１０内の他の構成要素と同じ又は異なるチップ又はチップのセットに統合され得る。
【００９２】
アンテナ２１１１は、無線信号を送信及び／又は受信するように設定された１つ又は複数のアンテナ又はアンテナアレイを含み得、インターフェース２１１４に接続される。ある種の代替実施形態において、アンテナ２１１１は、ＷＤ２１１０とは別個でもよく、インターフェース又はポートを介してＷＤ２１１０に接続可能になり得る。アンテナ２１１１、インターフェース２１１４、及び／又は処理回路２１２０は、ＷＤによって実行されるものとして本明細書に記載されている任意の受信又は送信動作を実行するように設定され得る。任意の情報、データ及び／又は信号が、ネットワークノード及び／又は別のＷＤから受信され得る。一部の実施形態では、無線フロントエンド回路及び／又はアンテナ２１１１は、インターフェースと考えられ得る。
【００９３】
図示されているように、インターフェース２１１４は、無線フロントエンド回路２１１２及びアンテナ２１１１を備える。無線フロントエンド回路２１１２は、１つ又は複数のフィルタ２１１８及び増幅器２１１６を備える。無線フロントエンド回路２１１４は、アンテナ２１１１及び処理回路２１２０に接続され、アンテナ２１１１と処理回路２１２０との間で通信される信号を調整するように設定される。無線フロントエンド回路２１１２は、アンテナ２１１１に連結され得る、又はアンテナ２１１１の一部でもよい。一部の実施形態では、ＷＤ２１１０は、別個の無線フロントエンド回路２１１２を含まないことがあり、そうではなくて、処理回路２１２０は、無線フロントエンド回路を備え得、アンテナ２１１１に接続され得る。同様に、一部の実施形態では、ＲＦトランシーバ回路２１２２の一部又はすべては、インターフェース２１１４の一部と考えられ得る。無線フロントエンド回路２１１２は、無線接続を介して他のネットワークノード又はＷＤに送出されることになるデジタルデータを受信し得る。無線フロントエンド回路２１１２は、フィルタ２１１８及び／又は増幅器２１１６の組合せを使用して適切なチャンネル及び帯域幅パラメータを有する無線信号にデジタルデータを変換し得る。無線信号は、次いで、アンテナ２１１１を介して送信され得る。同様に、データを受信しているとき、アンテナ２１１１は、次いで無線フロントエンド回路２１１２によってデジタルデータに変換される、無線信号を収集し得る。デジタルデータは、処理回路２１２０に渡され得る。他の実施形態において、インターフェースは、異なる構成要素及び／又は異なる組合せの構成要素を備え得る。
【００９４】
処理回路２１２０は、マイクロプロセッサ、コントローラ、マイクロコントローラ、中央処理装置、デジタル信号プロセッサ、特定用途向け集積回路、フィールドプログラマブルゲートアレイ、又は任意の他の適切なコンピューティングデバイスのうちの１つ又は複数の組合せ、資源、或いは、単独で又はデバイス可読媒体２１３０などの他のＷＤ２１１０構成要素と連動して、ＷＤ２１１０機能性を提供するように動作可能なハードウェア、ソフトウェア、及び／又は符号化されたロジックの組合せを備え得る。そのような機能性は、本明細書で論じられる様々な無線特徴又は利益のいずれかの提供を含み得る。たとえば、処理回路２１２０は、本明細書で開示される機能性を提供するために、デバイス可読媒体２１３０に又は処理回路２１２０内のメモリに記憶された命令を実行し得る。
【００９５】
図示されているように、処理回路２１２０は、ＲＦトランシーバ回路２１２２、ベースバンド処理回路２１２４、及びアプリケーション処理回路２１２６のうちの１つ又は複数を含む。他の実施形態において、処理回路は、異なる構成要素及び／又は異なる組合せの構成要素を備え得る。ある種の実施形態では、ＷＤ２１１０の処理回路２１２０は、ＳＯＣを備え得る。一部の実施形態では、ＲＦトランシーバ回路２１２２、ベースバンド処理回路２１２４、及びアプリケーション処理回路２１２６は、別個のチップ又はチップのセット上にあることがある。代替実施形態において、ベースバンド処理回路２１２４及びアプリケーション処理回路２１２６の一部又はすべては、１つのチップ又はチップのセット内に結合され得、ＲＦトランシーバ回路２１２２は、別個のチップ又はチップのセット上にあってもよい。さらに代替実施形態において、ＲＦトランシーバ回路２１２２及びベースバンド処理回路２１２４の一部又はすべては、同じチップ又はチップのセット上にあることがあり、アプリケーション処理回路２１２６は、別個のチップ又はチップのセット上にあることがある。さらに他の代替実施形態において、ＲＦトランシーバ回路２１２２、ベースバンド処理回路２１２４、及びアプリケーション処理回路２１２６の一部又はすべては、同じチップ又はチップのセット内に結合され得る。一部の実施形態では、ＲＦトランシーバ回路２１２２は、インターフェース２１１４の一部でもよい。ＲＦトランシーバ回路２１２２は、処理回路２１２０のＲＦ信号を調整し得る。
【００９６】
ある種の実施形態では、ＷＤによって実行されるものとして本明細書に記載の機能性の一部又はすべては、ある種の実施形態ではコンピュータ可読記憶媒体であることがある、デバイス可読媒体２１３０に記憶された命令を実行する処理回路２１２０によって提供され得る。代替実施形態において、機能性の一部の又はすべては、ハードワイヤード方式などで、別個の又はディスクリートデバイスの可読記憶媒体に記憶された命令を実行することなしに処理回路２１２０によって提供され得る。それらの特定の実施形態のうちのいずれかにおいて、デバイス可読記憶媒体に記憶された命令を実行してもしなくても、処理回路２１２０は、記載された機能性を実行するように設定され得る。そのような機能性によってもたらされる利益は、処理回路２１２０のみに又はＷＤ２１１０の他の構成要素に制限されず、ＷＤ２１１０全体によって、及び／又は一般にエンドユーザ及び無線ネットワークによって、享受される。
【００９７】
処理回路２１２０は、ＷＤによって実行されるものとして本明細書に記載された任意の決定、計算、又は類似の動作（たとえば、ある種の取得動作）を実行するように設定され得る。処理回路２１２０によって実行されるものとしての、これらの動作は、たとえば、取得された情報を他の情報に変換すること、取得された情報又は変換された情報をＷＤ２１１０によって記憶された情報と比較すること、及び／又は取得された情報又は変換された情報に基づいて１つ又は複数の動作を実行することにより、処理回路２１２０によって取得された情報を処理すること、並びに前記処理の結果として判定を行うことを含み得る。
【００９８】
デバイス可読媒体２１３０は、コンピュータプログラム、ソフトウェア、ロジック、ルール、コード、テーブルなどのうちの１つ又は複数を含むアプリケーション及び／又は処理回路２１２０によって実行することが可能な他の命令を記憶するように動作可能になり得る。デバイス可読媒体２１３０は、コンピュータメモリ（たとえば、ランダムアクセスメモリ（ＲＡＭ）又は読取り専用メモリ（ＲＯＭ））、大容量記憶媒体（たとえば、ハードディスク）、取り外し可能記憶媒体（たとえば、コンパクトディスク（ＣＤ）又はデジタルビデオディスク（ＤＶＤ））、及び／又は処理回路２１２０によって使用され得る情報、データ、及び／又は命令を記憶する任意の他の揮発性又は不揮発性の、非一時的デバイス可読及び／又はコンピュータ実行可能メモリデバイスを含み得る。一部の実施形態では、処理回路２１２０及びデバイス可読媒体２１３０は、統合され得る。
【００９９】
ユーザインターフェース機器２１３２は、人間のユーザがＷＤ２１１０と相互作用することを可能にする構成要素を提供し得る。そのような相互作用は、視覚、聴覚、触覚などの多数の形態をとり得る。ユーザインターフェース機器２１３２は、ユーザへの出力を生み出すように及びユーザが入力をＷＤ２１１０に提供することを可能にするように動作可能になり得る。相互作用のタイプは、ＷＤ２１１０にインストールされたユーザインターフェース機器２１３２のタイプに応じて変化し得る。たとえば、ＷＤ２１１０がスマートフォンである場合には、相互作用はタッチスクリーンを介し得、ＷＤ２１１０がスマートメータである場合には、相互作用は、使用量（たとえば、使用されたガロン数）を提供するスクリーン又は警報音を提供する（たとえば、煙が検知された場合に）スピーカを介し得る。ユーザインターフェース機器２１３２は、入力インターフェース、デバイス及び回路と、出力インターフェース、デバイス及び回路とを含み得る。ユーザインターフェース機器２１３２は、ＷＤ２１１０への情報の入力を可能にするように設定され、処理回路２１２０に接続されて処理回路２１２０が入力情報を処理することを可能にする。ユーザインターフェース機器２１３２は、たとえば、マイクロフォン、近接若しくは他のセンサ、キー／ボタン、タッチディスプレイ、１つ又は複数のカメラ、ＵＳＢポート、又は他の入力回路を含み得る。ユーザインターフェース機器２１３２はまた、ＷＤ２１１０からの情報の出力を可能にするように、及び処理回路２１２０がＷＤ２１１０から情報を出力することを可能にするように設定される。ユーザインターフェース機器２１３２は、たとえば、スピーカ、ディスプレイ、振動回路、ＵＳＢポート、ヘッドフォンインターフェース、又は他の出力回路を含み得る。ユーザインターフェース機器２１３２の１つ又は複数の入力及び出力インターフェース、デバイス、及び回路を使用し、ＷＤ２１１０は、エンドユーザ及び／又は無線ネットワークと通信することができ、それらが本明細書に記載の機能性から利益を得ることを可能にし得る。
【０１００】
補助機器２１３４は、ＷＤによって一般に実行されないことがあるより多くの特定の機能性を提供するように動作可能である。これは、様々な目的で測定を行うための専門のセンサ、ワイヤード通信などの付加的タイプの通信のためのインターフェースなどを備え得る。補助機器２１３４の構成要素の包含及びタイプは、実施形態及び／又はシナリオに応じて異なり得る。
【０１０１】
一部の実施形態では、電源２１３６は、バッテリ又はバッテリパックの形でもよい。外部電源（たとえば、電気コンセント）、光電池デバイス又は動力電池など、他のタイプの電源もまた使用され得る。ＷＤ２１１０はさらに、本明細書に記載又は示された任意の機能性を実行するために電源２１３６からの電力を必要とするＷＤ２１１０の様々な部分に電源２１３６から電力を届けるための電力回路２１３７を備え得る。ある種の実施形態では、電力回路２１３７は、電力管理回路を備え得る。電力回路２１３７は、付加的に又は別法として外部電源から電力を受信するように動作可能になり得、その場合、ＷＤ２１１０は、入力回路又は電気動力ケーブルなどのインターフェースを介して外部電源（電気コンセントなど）に接続可能になり得る。ある種の実施形態では、電力回路２１３７はまた、外部電源から電源２１３６に電力を届けるように動作可能になり得る。これは、たとえば、電源２１３６の充電のためでもよい。電力回路２１３７は、任意のフォーマッティング、変換、又は他の修正を電源２１３６からの電力に実行して、電力を、電力が供給される先のＷＤ２１１０のそれぞれの構成要素に適するようにさせることができる。
【０１０２】
図１１は、本明細書に記載の様々な態様によるＵＥの１つの実施形態を示す。本明細書では、ユーザ機器又はＵＥは、関連デバイスを所有及び／又は操作する人間ユーザという意味でのユーザを必ずしも有さないことがある。そうではなく、ＵＥは、人間ユーザへの販売、又は人間ユーザによる操作向けに意図されるが、特定の人間ユーザに関連付けられていないことがある、又は最初は特定の人間ユーザに関連付けられていないことがあるデバイスを表し得る（たとえば、スマートスプリンクラコントローラ）。別法として、ＵＥは、エンドユーザへの販売又はエンドユーザによる操作向けに意図されていないが、ユーザの利益に関連し得る又はユーザの利益のために操作され得るデバイスを表し得る（たとえば、スマート電力メータ）。ＵＥ２２００は、ＮＢ−ＩｏＴ  ＵＥ、マシンタイプ通信（ＭＴＣ：ｍａｃｈｉｎｅ  ｔｙｐｅ  ｃｏｍｍｕｎｉｃａｔｉｏｎ）ＵＥ、及び／又は拡張ＭＴＣ（ｅＭＴＣ：ｅｎｈａｎｃｅｄ  ＭＴＣ）ＵＥを含む、第３世代パートナシッププロジェクト（３ＧＰＰ）によって識別された任意のＵＥでもよい。図１１に示されているような、ＵＥ２２００は、３ＧＰＰのＧＳＭ、ＵＭＴＳ、ＬＴＥ、及び／又は５Ｇ標準など、第３世代パートナシッププロジェクト（３ＧＰＰ）によって公表された１つ又は複数の通信標準による通信向けに設定されたＷＤの一例である。前述のように、ＷＤ及びＵＥという用語は、同義で使用され得る。したがって、図１１はＵＥであるが、本明細書で論じられる構成要素は、ＷＤに同等に適用可能であり、逆もまた同様である。
【０１０３】
図１１では、ＵＥ２２００は、入力／出力インターフェース２２０５、無線周波数（ＲＦ）インターフェース２２０９、ネットワーク接続インターフェース２２１１、ランダムアクセスメモリ（ＲＡＭ）２２１７、読取り専用メモリ（ＲＯＭ）２２１９、及び記憶媒体２２２１などを含むメモリ２２１５、通信サブシステム２２３１、電源２２３３、及び／又は任意の他の構成要素、或いはその任意の組合せに動作可能なように連結された、処理回路２２０１を含む。記憶媒体２２２１は、オペレーティングシステム２２２３、アプリケーションプログラム２２２５、及びデータ２２２７を含む。他の実施形態において、記憶媒体２２２１は、他の類似のタイプの情報を含み得る。ある種のＵＥは、図１１に示されたすべての構成要素、又はそれらの構成要素のサブセットのみを使用し得る。構成要素間の統合のレベルは、ＵＥによって異なり得る。さらに、ある種のＵＥは、複数のプロセッサ、メモリ、トランシーバ、送信器、受信器などの構成要素の複数のインスタンスを含み得る。
【０１０４】
図１１では、処理回路２２０１は、コンピュータ命令及びデータを処理するように設定され得る。処理回路２２０１は、１つ又は複数のハードウェア実装された状態マシン（たとえば、離散的なロジック、ＦＰＧＡ、ＡＳＩＣなどにおける）など、メモリ内のマシン可読コンピュータプログラムとして記憶されたマシン命令を実行するように動作可能な任意の順次状態マシン、適切なファームウェアと一緒のプログラマブルロジック、適切なソフトウェアと一緒の、マイクロプロセッサ又はデジタル信号プロセッサ（ＤＳＰ）などの、１つ又は複数の記憶されたプログラム、汎用プロセッサ、或いは前記の任意の組合せを実装するように設定され得る。たとえば、処理回路２２０１は、２つの中央処理装置（ＣＰＵ）を含み得る。データは、コンピュータによる使用に適した形の情報でもよい。
【０１０５】
図示された実施形態では、入力／出力インターフェース２２０５は、通信インターフェースを入力デバイス、出力デバイス、或いは、入力及び出力デバイスに提供するように設定され得る。ＵＥ２２００は、入力／出力インターフェース２２０５を介して出力デバイスを使用するように設定され得る。出力デバイスは、入力デバイスと同じタイプのインターフェースポートを使用し得る。たとえば、ＵＳＢポートは、ＵＥ２２００への入力及びＵＥ２２００からの出力を提供するために使用され得る。出力デバイスは、スピーカ、サウンドカード、ビデオカード、ディスプレイ、モニタ、プリンタ、アクチュエータ、エミッタ、スマートカード、別の出力デバイス、又はその任意の組合せでもよい。ＵＥ２２００は、ユーザがＵＥ２２００内に情報をキャプチャすることを可能にするために入力／出力インターフェース２２０５を介して入力デバイスを使用するように設定され得る。入力デバイスは、タッチセンサ式又はプレゼンスセンサ式ディスプレイ、カメラ（たとえば、デジタルカメラ、デジタルビデオカメラ、ウェブカメラなど）、マイクロフォン、センサ、マウス、トラックボール、方向性パッド、トラックパッド、スクロールホイール、スマートカードなどを含み得る。プレゼンスセンサ式ディスプレイは、ユーザからの入力を感知するための容量性又は抵抗性タッチセンサを含み得る。センサは、たとえば、加速度計、ジャイロスコープ、傾斜センサ、力センサ、磁力計、光センサ、近接センサ、別の同様のセンサ、又はその任意の組合せでもよい。たとえば、入力デバイスは、加速度計、磁力計、デジタルカメラ、マイクロフォン、及び光センサでもよい。
【０１０６】
図１１では、ＲＦインターフェース２２０９は、送信器、受信器、及びアンテナなどのＲＦ構成要素に通信インターフェースを提供するように設定され得る。ネットワーク接続インターフェース２２１１は、通信インターフェースをネットワーク２２４３ａに提供するように設定され得る。ネットワーク２２４３ａは、ローカルエリアネットワーク（ＬＡＮ）、ワイドエリアネットワーク（ＷＡＮ）、コンピュータネットワーク、無線ネットワーク、通信ネットワーク、別の同様のネットワーク又はその任意の組合せなど、ワイヤード及び／又は無線ネットワークを包含し得る。たとえば、ネットワーク２２４３ａは、Ｗｉ−Ｆｉネットワークを備え得る。ネットワーク接続インターフェース２１１は、イーサネット、ＴＣＰ／ＩＰ、ＳＯＮＥＴ、ＡＴＭなどの１つ又は複数の通信プロトコルによる通信ネットワークを介して１つ又は複数の他のデバイスと通信するために使用される受信器及び送信器インターフェースを含むように設定され得る。ネットワーク接続インターフェース２２１１は、通信ネットワークリンク（たとえば、光、電気など）に適した受信器及び送信器機能性を実装し得る。送信器及び受信器機能は、回路構成要素、ソフトウェア又はファームウェアを共用し得、或いは別法として別個に実装され得る。
【０１０７】
ＲＡＭ２２１７は、オペレーティングシステム、アプリケーションプログラム、及びデバイスドライバなどのソフトウェアプログラムの実行中にデータ又はコンピュータ命令の記憶又はキャッシュを行うために処理回路２２０１にバス２２０２を介してインターフェースするように設定され得る。ＲＯＭ２２１９は、コンピュータ命令又はデータを処理回路２２０１に提供するように設定され得る。たとえば、ＲＯＭ２２１９は、基本入力及び出力（Ｉ／Ｏ）、スタートアップ、又は不揮発性メモリに記憶されたキーボードからのキーストロークの受信などの基本システム機能のための不変の低レベルシステムコード又はデータを記憶するように設定され得る。記憶媒体２２２１は、ＲＡＭ、ＲＯＭ、プログラマブル読取り専用メモリ（ＰＲＯＭ）、消去可能プログラマブル読取り専用メモリ（ＥＰＲＯＭ）、電気的消去可能プログラマブル読取り専用メモリ（ＥＥＰＲＯＭ）、磁気ディスク、光ディスク、フロッピディスク、ハードディスク、取り外し可能カートリッジ、又はフラッシュドライブなどのメモリを含むように設定され得る。１つの例では、記憶媒体２２２１は、オペレーティングシステム２２２３、ウェブブラウザアプリケーションなどのアプリケーションプログラム２２２５、ウィジェット若しくはガジェットエンジン又は別のアプリケーション、及びデータファイル２２２７を含むように設定され得る。記憶媒体２２２１は、ＵＥ２２００によって使用するために、バラエティ豊かな様々なオペレーティングシステムのいずれか又はオペレーティングシステムの組合せを記憶し得る。
【０１０８】
記憶媒体２２２１は、ＲＡＩＤ（ｒｅｄｕｎｄａｎｔ  ａｒｒａｙ  ｏｆ  ｉｎｄｅｐｅｎｄｅｎｔ  ｄｉｓｋ）、フロッピディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ：ｈｉｇｈ−ｄｅｎｓｉｔｙ  ｄｉｇｉｔａｌ  ｖｅｒｓａｔｉｌｅ  ｄｉｓｃ）光ディスクドライブ、内部ハードディスクドライブ、ブルーレイ光ディスクドライブ、ホログラフィックデジタルデータストレージ（ＨＤＤＳ：ｈｏｌｏｇｒａｐｈｉｃ  ｄｉｇｉｔａｌ  ｄａｔａ  ｓｔｏｒａｇｅ）光ディスクドライブ、外部ミニデュアルインラインメモリモジュール（ＤＩＭＭ：ｍｉｎｉ−ｄｕａｌ  ｉｎ−ｌｉｎｅ  ｍｅｍｏｒｙ  ｍｏｄｕｌｅ）、同期型ダイナミックランダムアクセスメモリ（ＳＤＲＡＭ：ｓｙｎｃｈｒｏｎｏｕｓ  ｄｙｎａｍｉｃ  ｒａｎｄｏｍ  ａｃｃｅｓｓ  ｍｅｍｏｒｙ）、外部マイクロＤＩＭＭ  ＳＤＲＡＭ、加入者識別モジュール若しくは取り外し可能ユーザ識別（ＳＩＭ／ＲＵＩＭ：ｓｕｂｓｃｒｉｂｅｒ  ｉｄｅｎｔｉｔｙ  ｍｏｄｕｌｅ  ｏｒ  ａ  ｒｅｍｏｖａｂｌｅ  ｕｓｅｒ  ｉｄｅｎｔｉｔｙ）モジュールなどのスマートカードメモリ、他のメモリ、或いはその任意の組合せなどのいくつかの物理ドライブユニットを含むように設定され得る。記憶媒体２２１は、ＵＥ２２００が、一時的又は非一時的メモリ媒体に記憶された、コンピュータで実行可能な命令、アプリケーションプログラムなどにアクセスすること、データをオフロードすること、或いはデータをアップロードすることを可能にし得る。通信システムを使用するものなどの製造品は、デバイス可読媒体を備え得る記憶媒体２２２１において有形に実施され得る。
【０１０９】
図１１において、処理回路２２０１は、通信サブシステム２２３１を使用するネットワーク２２４３ｂと通信するように設定され得る。ネットワーク２２４３ａ及びネットワーク２２４３ｂは、１つ又は複数の同じネットワーク或いは１つ又は複数の異なるネットワークでもよい。通信サブシステム２２３１は、ネットワーク２２４３ｂと通信するために使用される１つ又は複数のトランシーバを含むように設定され得る。たとえば、通信サブシステム２２３１は、ＩＥＥＥ８０２．１１、ＣＤＭＡ、ＷＣＤＭＡ、ＧＳＭ、ＬＴＥ、ＵＴＲＡＮ、ＷｉＭａｘなどの１つ又は複数の通信プロトコルによる無線アクセスネットワーク（ＲＡＮ）の別のＷＤ、ＵＥ、又は基地局など、無線通信の能力を有する別のデバイスの１つ又は複数のリモートトランシーバと通信するために使用される１つ又は複数のトランシーバを含むように設定され得る。各トランシーバは、それぞれ、ＲＡＮリンクに適した送信器又は受信器機能性（たとえば、周波数割当てなど）を実装するために送信器２２３３及び／又は受信器２２３５を含み得る。さらに、各トランシーバの送信器２２３３及び受信器２２３５は、回路構成要素、ソフトウェア又はファームウェアを共用し得る、或いは別法として別個に実装され得る。
【０１１０】
図示された実施形態において、通信サブシステム２２３１の通信機能は、データ通信、音声通信、マルチメディア通信、ブルートゥースなどの短距離通信、近距離無線通信、位置を判定するためのグローバルポジショニングシステム（ＧＰＳ）の使用などの位置ベースの通信、別の同様の通信機能、或いはその任意の組合せを含み得る。たとえば、通信サブシステム２２３１は、セルラ通信、Ｗｉ−Ｆｉ通信、ブルートゥース通信、及びＧＰＳ通信を含み得る。ネットワーク２２４３ｂは、ローカルエリアネットワーク（ＬＡＮ）、ワイドエリアネットワーク（ＷＡＮ）、コンピュータネットワーク、無線ネットワーク、通信ネットワーク、別の同様のネットワーク又はその任意の組合せなど、ワイヤード及び／又は無線ネットワークを包含し得る。たとえば、ネットワーク２２４３ｂは、セルラネットワーク、Ｗｉ−Ｆｉネットワーク、及び／又は近距離無線ネットワークでもよい。電源２２１３は、交流（ＡＣ）又は直流（ＤＣ）電力をＵＥ２２００の構成要素に提供するように設定され得る。
【０１１１】
本明細書に記載の特徴、利益及び／又は機能は、ＵＥ２２００の構成要素のうちの１つにおいて実装され得る、又はＵＥ２２００の複数の構成要素を横断して分割され得る。さらに、本明細書に記載の特徴、利益、及び／又は機能は、ハードウェア、ソフトウェア又はファームウェアの任意の組合せにおいて実装され得る。１つの例では、通信サブシステム２２３１は、本明細書に記載の構成要素のいずれかを含むように設定され得る。さらに、処理回路２２０１は、バス２２０２を介してそのような構成要素のいずれかと通信するように設定され得る。別の例では、そのような構成要素のいずれかは、処理回路２２０１によって実行されたときに本明細書に記載の対応する機能を実行するメモリに記憶されたプログラム命令によって表され得る。別の例では、そのような構成要素のうちのいずれかの構成要素の機能性は、処理回路２２０１と通信サブシステム２２３１との間で分割され得る。別の例では、そのような構成要素のうちのいずれかの構成要素の非計算集約的機能は、ソフトウェア又はファームウェアにおいて実装され得、計算集約的機能は、ハードウェアにおいて実装され得る。
【０１１２】
図１２は、一部の実施形態によって実装される機能が仮想化され得る仮想化環境２３００を示す概略的ブロック図である。これに関連して、仮想化は、ハードウェアプラットフォーム、記憶デバイス及びネットワーク資源の仮想化を含み得る装置又はデバイスの仮想バージョンの作成を意味する。本明細書では、仮想化は、ノード（たとえば、仮想化された基地局又は仮想化された無線アクセスノード）に或いはデバイス（たとえば、ＵＥ、無線デバイス又は任意の他のタイプの通信デバイス）又はその構成要素に適用することができ、機能性の少なくとも一部分が１つ又は複数の仮想構成要素として実装される（たとえば、１つ又は複数のアプリケーション、構成要素、機能、仮想マシン又は１つ又は複数のネットワーク内の１つ又は複数の物理処理ノードで実行するコンテナを介して）実装形態に関する。
【０１１３】
一部の実施形態では、本明細書に記載の機能の一部又はすべては、ハードウェアノード２３３０のうちの１つ又は複数によってホストされる１つ又は複数の仮想環境２３００において実装された１つ又は複数の仮想マシンによって実行される仮想構成要素として実装され得る。さらに、仮想ノードが無線アクセスノードではない又は無線接続性（たとえば、コアネットワークノード）を必要としない実施形態では、そのとき、ネットワークノードは、完全に仮想化され得る。
【０１１４】
本機能は、本明細書で開示される実施形態のうちのいくつかの実施形態の特徴、機能、及び／又は利益のうちのいくつかを実装するように動作可能な１つ又は複数のアプリケーション２３２０（ソフトウェアインスタンス、仮想アプライアンス、ネットワーク機能、仮想ノード、仮想ネットワーク機能などと別称され得る）によって実装され得る。アプリケーション２３２０は、処理回路２３６０及びメモリ２３９０を備えるハードウェア２３３０を提供する仮想化環境２３００において実行される。メモリ２３９０は、処理回路２３６０によって実行可能な命令２３９５を含み、それにより、アプリケーション２３２０は、本明細書で開示される特徴、利益、及び／又は機能のうちの１つ又は複数を提供するように動作可能である。
【０１１５】
仮想化環境２３００は、民生（ＣＯＴＳ：ｃｏｍｍｅｒｃｉａｌ  ｏｆｆ−ｔｈｅ−ｓｈｅｌｆ）プロセッサ、特定用途向け集積回路（ＡＳＩＣ）、或いはデジタル若しくはアナログハードウェア構成要素又は専用プロセッサを含む任意の他のタイプの処理回路でもよい、１セットの１つ又は複数のプロセッサ又は処理回路２３６０を備えた、汎用又は専用ネットワークハードウェアデバイス２３３０を備える。各ハードウェアデバイスは、命令２３９５又は処理回路２３６０によって実行されるソフトウェアを一時的に記憶するための非永続メモリでもよいメモリ２３９０−１を備え得る。各ハードウェアデバイスは、物理ネットワークインターフェース２３８０を含む、ネットワークインターフェースカードとしても知られる、１つ又は複数のネットワークインターフェースコントローラ（ＮＩＣ：ｎｅｔｗｏｒｋ  ｉｎｔｅｒｆａｃｅ  ｃｏｎｔｒｏｌｌｅｒ）２３７０を備え得る。各ハードウェアデバイスはまた、ソフトウェア２３９５がそこに記憶された非一時的、永続的、マシン可読記憶媒体２３９０−２、及び／又は処理回路２３６０によって実行可能な命令を含み得る。ソフトウェア２３９５は、１つ又は複数の仮想化レイヤ２３５０（ハイパーバイザとも呼ばれる）のインスタンスを作成するためのソフトウェア、仮想マシン２３４０を実行するためのソフトウェア、並びに本明細書に記載のいくつかの実施形態に関連して記載された機能、特徴及び／又は利益をそれが実行することを可能にするソフトウェアを含む、任意のタイプのソフトウェアを含み得る。
【０１１６】
仮想マシン２３４０は、仮想処理、仮想メモリ、仮想ネットワーキング又はインターフェース及び仮想ストレージを備え、対応する仮想化レイヤ２３５０又はハイパーバイザによって実行され得る。仮想アプライアンス２３２０のインスタンスの異なる実施形態は、仮想マシン２３４０のうちの１つ又は複数で実装され得、実装形態は、異なる形で行われ得る。
【０１１７】
動作中、処理回路２３６０は、仮想マシンモニタ（ＶＭＭ：ｖｉｒｔｕａｌ  ｍａｃｈｉｎｅ  ｍｏｎｉｔｏｒ）と時に称されることがあるハイパーバイザ又は仮想化レイヤ２３５０のインスタンスを作成するために、ソフトウェア２３９５を実行する。仮想化レイヤ２３５０は、仮想マシン２３４０にネットワーキングハードウェアのように見える仮想オペレーティングプラットフォームを示し得る。
【０１１８】
図１２に示されるように、ハードウェア２３３０は、一般又は特定の構成要素を有するスタンドアロンネットワークノードでもよい。ハードウェア２３３０は、アンテナ２３２２５を備え得、仮想化を介していくつかの機能を実装し得る。別法として、ハードウェア２３３０は、多数のハードウェアノードが連携する及び、とりわけアプリケーション２３２０のライフサイクル管理を監督する、管理及び編成（ＭＡＮＯ：ｍａｎａｇｅｍｅｎｔ  ａｎｄ  ｏｒｃｈｅｓｔｒａｔｉｏｎ）２３１００を介して管理される、ハードウェアのより大きなクラスタ（たとえば、データセンタ又は顧客構内機器（ＣＰＥ）内など）の一部でもよい。
【０１１９】
ハードウェアの仮想化は、いくつかの文脈では、ネットワーク機能仮想化（ＮＦＶ：ｎｅｔｗｏｒｋ  ｆｕｎｃｔｉｏｎ  ｖｉｒｔｕａｌｉｚａｔｉｏｎ）と称される。ＮＦＶは、データセンタ及び顧客構内機器内に置かれ得る、業界標準高容量サーバハードウェア、物理スイッチ、及び物理ストレージに多数のネットワーク機器タイプを統合するために使用され得る。
【０１２０】
ＮＦＶとの関連で、仮想マシン２３４０は、プログラムが物理的な非仮想化マシンで実行していたかのようにプログラムを実行する物理マシンのソフトウェア実装形態でもよい。それぞれの仮想マシン２３４０、及びその仮想マシンを実行するハードウェア２３３０のその部分は、それがその仮想マシン専用のハードウェア及び／又は他の仮想マシン２３４０とその仮想マシンによって共用されるハードウェアであれば、別個の仮想ネットワーク要素（ＶＮＥ）を形成する。
【０１２１】
さらにＮＦＶに関連して、仮想ネットワーク機能（ＶＮＦ：Ｖｉｒｔｕａｌ  Ｎｅｔｗｏｒｋ  Ｆｕｎｃｔｉｏｎ）は、ハードウェアネットワーキングインフラストラクチャ２３３０の最上部の１つ又は複数の仮想マシン２３４０において実行する特定のネットワーク機能を処理する責任を有し、図１２のアプリケーション２３２０に対応する。
【０１２２】
一部の実施形態では、１つ又は複数の送信器２３２２０及び１つ又は複数の受信器２３２１０をそれぞれ含む１つ又は複数の無線ユニット２３２００は、１つ又は複数のアンテナ２３２２５に連結され得る。無線ユニット２３２００は、１つ又は複数の適切なネットワークインターフェースを介してハードウェアノード２３３０と直接通信することができ、無線アクセスノード又は基地局などの無線能力を有する仮想ノードを提供するために仮想構成要素と組み合わせて使用され得る。
【０１２３】
一部の実施形態では、一部のシグナリングは、別法としてハードウェアノード２３３０と無線ユニット２３２００との間の通信のために使用され得る制御システム２３２３０の使用の影響を受け得る。
【０１２４】
図１３は、いくつかの実施形態によるホストコンピュータに中間ネットワークを介して接続された通信ネットワークを示す。具体的には、図１３を参照すると、一実施形態によれば、通信システムは、無線アクセスネットワークなどのアクセスネットワーク２４１１及びコアネットワーク２４１４を備える、３ＧＰＰタイプのセルラネットワークなどの通信ネットワーク２４１０を含む。アクセスネットワーク２４１１は、それぞれが対応するカバレッジエリア２４１３ａ、２４１３ｂ、２４１３ｃを規定する、ＮＢ、ｅＮＢ、ｇＮＢ又は他のタイプの無線アクセスポイントなどの複数の基地局２４１２ａ、２４１２ｂ、２４１２ｃを備える。各基地局２４１２ａ、２４１２ｂ、２４１２ｃは、ワイヤード又は無線接続２４１５を介してコアネットワーク２４１４に接続可能である。カバレッジエリア２４１３ｃ内に置かれた第１のＵＥ２４９１は、対応する基地局２４１２ｃに無線で接続される又は対応する基地局２４１２ｃによってページングされるように設定され得る。カバレッジエリア２４１３ａ内の第２のＵＥ２４９２は、対応する基地局２４１２ａに無線に接続可能である。複数のＵＥ２４９１、２４９２が本例では図示されているが、開示される実施形態は、唯一のＵＥがカバレッジエリア内にある又は唯一のＵＥが対応する基地局２４１２に接続している状況に同等に適用可能である。
【０１２５】
通信ネットワーク２４１０自体は、ホストコンピュータ２４３０に接続され、ホストコンピュータ２４３０は、スタンドアロンサーバ、クラウド実装されたサーバ、分散型サーバのハードウェア及び／又はソフトウェアにおいて或いはサーバファーム内の処理資源として実施され得る。ホストコンピュータ２４３０は、サービスプロバイダの所有権又は制御の下にあってもよく、或いはサービスプロバイダによって又はサービスプロバイダのために動作させられ得る。通信ネットワーク２４１０とホストコンピュータ２４３０との接続２４２１及び２４２２は、コアネットワーク２４１４からホストコンピュータ２４３０に直接延びてもよく、或いはオプションの中間ネットワーク２４２０を介してもよい。中間ネットワーク２４２０は、パブリックネットワーク、プライベートネットワーク又はホスト型ネットワークのうちの１つ、又はそれらのうちの２つ以上の組合せでもよく、中間ネットワーク２４２０は、もしあるなら、バックボーンネットワーク又はインターネットでもよく、具体的には、中間ネットワーク２４２０は、２つ以上のサブネットワーク（図示せず）を備え得る。
【０１２６】
全体としての図１３の通信システムは、接続されたＵＥ２４９１、２４９２及びホストコンピュータ２４３０の間の接続性を有効にする。接続性は、オーバーザトップ（ＯＴＴ：ｏｖｅｒ−ｔｈｅ−ｔｏｐ）接続２４５０として説明され得る。ホストコンピュータ２４３０及び接続されたＵＥ２４９１、２４９２は、媒介としてアクセスネットワーク２４１１、コアネットワーク２４１４、任意の中間ネットワーク２４２０及び可能なさらなるインフラストラクチャ（図示せず）を使用し、ＯＴＴ接続２４５０を介してデータ及び／又はシグナリングを通信するように設定される。ＯＴＴ接続２４５０は、ＯＴＴ接続２４５０が通過する参加通信デバイスはアップリンク及びダウンリンク通信のルーティングを認識しないという意味で、透過的になり得る。たとえば、基地局２４１２は、接続されたＵＥ２４９１に転送される（たとえば、ハンドオーバされる）ことになるホストコンピュータ２４３０に由来するデータとの着信ダウンリンク通信の過去のルーティングに関して知らされないことがある、又は知らされる必要はない。同様に、基地局２４１２は、ＵＥ２４９１からホストコンピュータ２４３０に向けて始められる外向きのアップリンク通信の未来のルーティングを認識する必要はない。
【０１２７】
前段落で論じられたＵＥ、基地局及びホストコンピュータの一実施形態による例示的実装形態について、図１４を参照して、ここで説明する。図１４は、いくつかの実施形態による部分的無線接続を介してユーザ機器と基地局を介して通信するホストコンピュータを示す。通信システム２５００では、ホストコンピュータ２５１０は、通信システム２５００の異なる通信デバイスのインターフェースとのワイヤード又は無線接続をセットアップ及び維持するように設定された通信インターフェース２５１６を含むハードウェア２５１５を備える。ホストコンピュータ２５１０はさらに、ストレージ及び／又は処理能力を有し得る処理回路２５１８を備える。具体的には、処理回路２５１８は、１つ又は複数のプログラマブルプロセッサ、特定用途向け集積回路、フィールドプログラマブルゲートアレイ、或いは命令を実行するようになされたこれらの組合せ（図示せず）を備え得る。ホストコンピュータ２５１０はさらに、ホストコンピュータ２５１０に記憶された若しくはこれによってアクセス可能な及び処理回路２５１８によって実行可能な、ソフトウェア２５１１を備える。ソフトウェア２５１１は、ホストアプリケーション２５１２を含む。ホストアプリケーション２５１２は、ＵＥ２５３０及びホストコンピュータ２５１０で終了するＯＴＴ接続２５５０を介して接続するＵＥ２５３０など、リモートユーザにサービスを提供するように動作可能になり得る。サービスのリモートユーザへの提供において、ホストアプリケーション２５１２は、ＯＴＴ接続２５５０を使用して送信されるユーザデータを提供し得る。
【０１２８】
通信システム２５００はさらに、通信システムにおいて提供される並びにホストコンピュータ２５１０と及びＵＥ２５３０とそれが通信することを可能にするハードウェア２５２５を備える、基地局２５２０を含む。ハードウェア２５２５は、通信システム２５００の異なる通信デバイスのインターフェースとのワイヤード又は無線接続をセットアップ及び維持するための通信インターフェース２５２６、並びに基地局２５２０によってサービスされるカバレッジエリア（図１４には図示せず）内に置かれたＵＥ２５３０との無線接続２５７０を少なくともセットアップ及び維持するための無線インターフェース２５２７を含み得る。通信インターフェース２５２６は、ホストコンピュータ２５１０への接続２５６０を円滑にするように設定され得る。接続２５６０は直接でもよく、或いは、接続２５６０は、通信システムのコアネットワーク（図１４に示さず）を通過及び／又は通信システム外部の１つ又は複数の中間ネットワークを通過してもよい。示された実施形態では、基地局２５２０のハードウェア２５２５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路２５２８を含む。基地局２５２０はさらに、内部に記憶された又は外部接続を介してアクセス可能なソフトウェア２５２１を有する。
【０１２９】
通信システム２５００はさらに、すでに参照されたＵＥ２５３０を含む。それのハードウェア２５３５は、ＵＥ２５３０が現在位置するカバレッジエリアにサービスする基地局との無線接続２５７０をセットアップ及び維持するように設定された無線インターフェース２５３７を含み得る。ＵＥ２５３０のハードウェア２５３５はさらに、１つ又は複数のプログラマブルプロセッサ、特定用途向け集積回路、フィールドプログラマブルゲートアレイ、又は命令を実行するようになされたこれらの組合せ（図示せず）を備え得る、処理回路２５３８を含む。ＵＥ２５３０はさらに、ＵＥ２５３０に記憶された若しくはこれによってアクセス可能な及び処理回路２５３８によって実行可能なソフトウェア２５３１を備える。ソフトウェア２５３１は、クライアントアプリケーション２５３２を含む。クライアントアプリケーション２５３２は、ホストコンピュータ２５１０のサポートを有して、ＵＥ２５３０を介して人間又は非人間ユーザにサービスを提供するように動作可能になり得る。ホストコンピュータ２５１０では、実行中のホストアプリケーション２５１２は、ＵＥ２５３０及びホストコンピュータ２５１０で終了するＯＴＴ接続２５５０を介して実行中のクライアントアプリケーション２５３２と通信し得る。ユーザへのサービス提供において、クライアントアプリケーション２５３２は、ホストアプリケーション２５１２から要求データを受信し、要求データに応答してユーザデータを提供することができる。ＯＴＴ接続２５５０は、要求データ及びユーザデータの両方を転送することができる。クライアントアプリケーション２５３２は、ユーザと相互作用して、それが提供するユーザデータを生成することができる。
【０１３０】
図１４に示されたホストコンピュータ２５１０と、基地局２５２０と、ＵＥ２５３０とは、それぞれ、図１３のホストコンピュータ２４３０と、基地局２４１２ａ、２４１２ｂ、２４１２ｃのうちの１つと、ＵＥ２４９１、２４９２のうちの１つと類似する又は同一であってもよいことに留意されたい。すなわち、これらのエンティティの内部の動きは、図１４に示されるようでもよく、独立して、周囲のネットワークトポロジは、図１３のそれでもよい。
【０１３１】
図１４において、ＯＴＴ接続２５５０は、媒介デバイスの明示的参照及びこれらのデバイスを介するメッセージの正確なルーティングなしに、基地局２５２０を介するホストコンピュータ２５１０とＵＥ２５３０との通信を説明するために抽象的に描かれてある。ネットワークインフラストラクチャは、ルーティングを判定することができ、それは、ＵＥ２５３０から若しくはサービスプロバイダオペレーティングホストコンピュータ２５１０から又はその両方から隠すように設定され得る。ＯＴＴ接続２５５０がアクティブである間、ネットワークインフラストラクチャは、それがルーティングを動的に変更する判定（たとえば、ネットワークの負荷バランシング検討又は再設定に基づく）をさらに行うことができる。
【０１３２】
ＵＥ２５３０と基地局２５２０との間の無線接続２５７０は、本開示を通じて説明される実施形態の教示に従う。様々な実施形態のうちの１つ又は複数は、無線接続２５７０が最後のセグメントを形成する、ＯＴＴ接続２５５０を使用してＵＥ２５３０に提供されるＯＴＴサービスのパフォーマンスを改善する。
【０１３３】
測定手続きは、１つ又は複数の実施形態が改善するモニタリングデータレート、レイテンシ及び他の要因を目的として、提供され得る。測定結果の変動に応答して、ホストコンピュータ２５１０とＵＥ２５３０との間のＯＴＴ接続２５５０を再設定するためのオプションのネットワーク機能性がさらに存在し得る。測定手続き及び／又はＯＴＴ接続２５５０を再設定するためのネットワーク機能性は、ホストコンピュータ２５１０のソフトウェア２５１１及びハードウェア２５１５において、又はＵＥ２５３０のソフトウェア２５３１及びハードウェア２５３５において、又はその両方で実装され得る。実施形態において、センサ（図示せず）は、ＯＴＴ接続２５５０が通過する通信デバイスにおいて又はそのような通信デバイスに関連して配備され得、センサは、上記で例示されたモニタされる数量の値を供給すること、或いはそこからソフトウェア２５１１、２５３１がモニタされる数量を計算又は推定し得る他の物理数量の値を供給することによって、測定手続きに参加し得る。ＯＴＴ接続２５５０の再設定は、メッセージフォーマット、再送信設定、好ましいルーティングなどを含み得、再設定は基地局２５２０に影響を及ぼす必要はなく、そして、それは基地局２５２０に知られてなくても又は感知できなくてもよい。そのような手続き及び機能性は、当分野では知られており、実施されることがある。ある種の実施形態では、測定は、スループット、伝搬時間、レイテンシなどのホストコンピュータ２５１０の測定を円滑にする占有ＵＥシグナリングを含み得る。ソフトウェア２５１１及び２５３１が、ＯＴＴ接続２５５０を使用し、それが伝搬時間、エラーなどをモニタする間に、メッセージ、具体的には空の又は「ダミー」メッセージ、を送信させるので、測定は実装され得る。
【０１３４】
図１５は、１つの実施形態による、通信システムにおいて実装される方法を示す流れ図である。通信システムは、図１３及び１４を参照して説明されるものでもよいホストコンピュータ、基地局及びＵＥを含む。本開示を簡単にするために、図１５のみの図面の参照が、このセクションに含まれることになる。ステップ２６１０において、ホストコンピュータはユーザデータを提供する。ステップ２６１０のサブステップ２６１１（オプションでもよい）では、ホストコンピュータは、ホストアプリケーションを実行することによって、ユーザデータを提供する。ステップ２６２０では、ホストコンピュータは、ユーザデータをＵＥに運ぶ送信を開始する。ステップ２６３０（オプションでもよい）では、基地局が、本開示を通して説明される実施形態の教示に従って、ホストコンピュータが開始した送信において運ばれたユーザデータをＵＥに送信する。ステップ２６４０（やはりオプションでもよい）で、ＵＥは、ホストコンピュータによって実行されるホストアプリケーションに関連するクライアントアプリケーションを実行する。
【０１３５】
図１６は、１つの実施形態による、通信システムにおいて実装される方法を示す流れ図である。通信システムは、図１３及び１４を参照して説明されるものでもよいホストコンピュータ、基地局及びＵＥを含む。本開示を簡単にするために、図１６の図面の参照のみが、このセクションに含まれることになる。本方法のステップ２７１０において、ホストコンピュータはユーザデータを提供する。オプションのサブステップ（図示せず）において、ホストコンピュータは、ホストアプリケーションを実行することによって、ユーザデータを提供する。ステップ２７２０で、ホストコンピュータは、ユーザデータをＵＥに運ぶ送信を開始する。送信は、本開示を通して説明される実施形態の教示によれば、基地局を通り得る。ステップ２７３０（オプションでもよい）で、ＵＥは、その送信で運ばれたユーザデータを受信する。
【０１３６】
図１７は、１つの実施形態による、通信システムにおいて実装される方法を示す流れ図である。通信システムは、図１３及び１４を参照して説明されるものでもよいホストコンピュータ、基地局及びＵＥを含む。本開示を簡単にするために、図１７の図面の参照のみが、このセクションに含まれることになる。ステップ２８１０（オプションでもよい）で、ＵＥは、ホストコンピュータによって提供された入力データを受信する。追加で又は別法として、ステップ２８２０で、ＵＥはユーザデータを提供する。ステップ２８２０のサブステップ２８２１（オプションでもよい）で、ＵＥは、クライアントアプリケーションを実行することによって、ユーザデータを提供する。ステップ２８１０のサブステップ２８１１（オプションでもよい）で、ＵＥは、ホストコンピュータによって提供される受信された入力データに反応してユーザデータを提供するクライアントアプリケーションを実行する。ユーザデータの提供において、実行されるクライアントアプリケーションは、ユーザから受信されたユーザ入力をさらに考慮し得る。ユーザデータが提供された具体的方式にかかわらず、ＵＥは、サブステップ２８３０（オプションでもよい）で、ユーザデータのホストコンピュータへの送信を開始する。本方法のステップ２８４０において、ホストコンピュータは、本開示を通して説明される実施形態の教示によれば、ＵＥから送信されたユーザデータを受信する。
【０１３７】
図１８は、１つの実施形態による、通信システムにおいて実装された方法を示す流れ図である。通信システムは、図１３及び１４を参照して説明されるものでもよいホストコンピュータ、基地局及びＵＥを含む。本開示を簡単にするために、図１８の図面の参照のみが、このセクションに含まれることになる。ステップ２９１０（オプションでもよい）において、本開示を通して説明される実施形態の教示に従って、基地局は、ユーザデータをＵＥから受信する。ステップ２９２０（オプションでもよい）で、基地局は、受信されたユーザデータのホストコンピュータへの送信を開始する。ステップ２９３０（オプションでもよい）で、ホストコンピュータは、基地局によって開始された送信で運ばれたユーザデータを受信する。
【０１３８】
本明細書で開示される任意の適切なステップ、方法、特徴、機能、又は利益は、１つ又は複数の仮想装置の１つ又は複数の機能ユニット又はモジュールを通して実行され得る。各仮想装置は、いくつかのこれらの機能ユニットを備え得る。これらの機能ユニットは、１つ又は複数のマイクロプロセッサ又はマイクロコントローラを含み得る、処理回路並びに、デジタル信号プロセッサ（ＤＳＰ）、専用デジタルロジックなどを含み得る、他のデジタルハードウェアを介して実装され得る。処理回路は、読取り専用メモリ（ＲＯＭ）、ランダムアクセスメモリ（ＲＡＭ）、キャッシュメモリ、フラッシュメモリデバイス、光学式記憶デバイスなどの、１つの又はいくつかのタイプのメモリを含み得る、メモリに記憶されたプログラムコードを実行するように設定され得る。メモリに記憶されたプログラムコードは、１つ又は複数の通信及び／又はデータ通信プロトコルを実行するためのプログラム命令並びに本明細書に記載の技法のうちの１つ又は複数を実施するための命令を含む。いくつかの実装形態において、処理回路は、本開示の１つ又は複数の実施形態による対応する機能をそれぞれの機能ユニットに実行させるために使用され得る。
【０１３９】
一般に、本明細書で使用されるすべての用語は、異なる意味が明確に与えられている及び／又はそれが使用されている文脈において暗示されている場合を除いて、関連技術分野におけるそれらの通常の意味に従って解釈されることになる。要素、装置、構成要素、手段、ステップなどへのすべての参照は、特に明示的な記載のない限り、要素、装置、構成要素、手段、ステップなどの少なくとも１つのインスタンスを参照するものとしてオープンに解釈されることになる。本明細書で開示されるいずれの方法のステップも、ステップが別のステップに続く若しくは先行するものとして明示的に記述されている及び／又はステップが別のステップに続く若しくは先行する必要があることが黙示されている場合を除いて、開示された正確な順番で実行される必要はない。本明細書で開示される実施形態のいずれかの任意の特徴は、適切であれば、任意の他の実施形態に適用され得る。同様に、実施形態のいずれかの任意の優位性は、任意の他の実施形態に適用され得、逆もまた同様である。含まれる実施形態の他の目的、特徴及び優位性が、説明から明らかとなろう。
【０１４０】
ユニットという用語は、電子工学、電気デバイス及び／又は電子デバイスの分野における従来の意味を有し得、たとえば、本明細書に記載されているものなどのような、電気及び／又は電子回路、デバイス、モジュール、プロセッサ、メモリ、ロジックソリッドステート及び／又はディスクリートデバイス、それぞれのタスク、手続き、計算、出力、及び／又は表示機能を実行するためのコンピュータプログラム又は命令などを含み得る。
【０１４１】
本明細書で企図されている実施形態のうちのいくつかが、添付の図面を参照してさらに十分に説明される。しかしながら、他の実施形態が、本明細書で開示される主題の範囲に含まれる。開示される主題は、本明細書に記載の実施形態のみに限定されるものとして解釈されるべきではなく、そうではなくて、これらの実施形態は、当業者に本主題の範囲を伝えるために例として提供される。
【０１４２】
以下に、下記に列挙されるものを含むがこれらに限定されない、さらなる実施形態を詳述する。
【０１４３】
Ｄ１．ホストコンピュータを含む通信システムであって、
ユーザデータを提供するように設定された処理回路と、
ユーザ機器（ＵＥ）に送信するためにセルラネットワークにユーザデータを転送するように設定された通信インターフェースと
を備え、セルラネットワークは、無線インターフェース及び処理回路を有する基地局を備え、基地局の処理回路は、本明細書で開示される基地局ステップのうちのいずれかの基地局ステップのうちのステップのいずれかを実行するように設定される、通信システム。
【０１４４】
Ｄ２．基地局をさらに含む、先の実施形態の通信システム。
【０１４５】
Ｄ３．基地局と通信するように設定されたＵＥをさらに含む、先の２つの実施形態の通信システム。
【０１４６】
Ｄ４．ホストコンピュータの処理回路が、ホストアプリケーションを実行するように設定され、それによりユーザデータを提供する、そして、
ＵＥが、ホストアプリケーションに関連するクライアントアプリケーションを実行するように設定された処理回路を備える、先の３つの実施形態の通信システム。
【０１４７】
Ｄ５．ホストコンピュータ、基地局及びユーザ機器（ＵＥ）を含む通信システムにおいて実施される方法であって、
ホストコンピュータにおいて、ユーザデータを提供することと、
ホストコンピュータにおいて、基地局を備えたセルラネットワークを介してＵＥにユーザデータを運ぶ送信を開始することであって、基地局が、本明細書で開示される基地局ステップのうちのいずれかの基地局ステップのうちのステップのいずれかを実行する、送信を開始することを含む方法。
【０１４８】
Ｄ６．基地局において、ユーザデータを送信することをさらに含む、先の実施形態の方法。
【０１４９】
Ｄ７．ユーザデータが、ホストアプリケーションを実行することによってホストコンピュータにおいて提供され、ホストアプリケーションに関連するクライアントアプリケーションをＵＥにおいて実行することをさらに含む先の２つの実施形態の方法。
【０１５０】
Ｄ８．基地局と通信するように設定されたユーザ機器（ＵＥ）であって、無線インターフェースと先の３つの実施形態のいずれかを実行するように設定された処理回路とを備えた、ＵＥ。
【０１５１】
Ｄ９．ホストコンピュータを含む通信システムであって、
ユーザデータを提供するように設定された処理回路と、
ユーザ機器（ＵＥ）に送信するためにセルラネットワークにユーザデータを転送するように設定された通信インターフェースと
を備え、ＵＥは、無線インターフェース及び処理回路を備え、ＵＥの構成要素は、本明細書で開示されるＵＥステップのうちのいずれかのＵＥステップのうちのステップのいずれかを実行するように設定される、通信システム。
【０１５２】
Ｄ１０．セルラネットワークがさらに、ＵＥと通信するように設定された基地局を含む、先の実施形態の通信システム。
【０１５３】
Ｄ１１．ホストコンピュータの処理回路が、ホストアプリケーションを実行するように設定され、それによりユーザデータを提供する、そして、
ＵＥの処理回路が、ホストアプリケーションに関連するクライアントアプリケーションを実行するように設定される先の２つの実施形態の通信システム。
【０１５４】
Ｄ１２．ホストコンピュータ、基地局及びユーザ機器（ＵＥ）を含む通信システムにおいて実施される方法であって、
ホストコンピュータにおいて、ユーザデータを提供することと、
ホストコンピュータにおいて、基地局を備えたセルラネットワークを介してＵＥにユーザデータを運ぶ送信を開始することであって、ＵＥが、本明細書で開示されるＵＥステップのうちのいずれかのＵＥステップのうちのステップのいずれかを実行する、送信を開始することを含む方法。
【０１５５】
Ｄ１３．ＵＥにおいて、基地局からユーザデータを受信することをさらに含む、先の実施形態の方法。
【０１５６】
Ｄ１４．ユーザ機器（ＵＥ）から基地局への送信に由来するユーザデータを受信するように設定された通信インターフェースを備えたホストコンピュータを含み、
ＵＥは、無線インターフェース及び処理回路を備え、ＵＥの処理回路は、本明細書で開示されるＵＥステップのうちのいずれかのＵＥステップのうちのステップのいずれかを実行するように設定される、通信システム。
【０１５７】
Ｄ１５．さらにＵＥを含む、先の実施形態の通信システム。
【０１５８】
Ｄ１６．ＵＥと通信するように設定された無線インターフェースと、ＵＥから基地局への送信によって運ばれるユーザデータをホストコンピュータに転送するように設定された通信インターフェースとを備える基地局をさらに含む、先の２つの実施形態の通信システム。
【０１５９】
Ｄ１７．ホストコンピュータの処理回路が、ホストアプリケーションを実行するように設定され、そして、
ＵＥの処理回路は、ホストアプリケーションに関連するクライアントアプリケーションを実行するように設定され、それによりユーザデータを提供する、先の３つの実施形態の通信システム。
【０１６０】
Ｄ１８．ホストコンピュータの処理回路が、ホストアプリケーションを実行するように設定され、それにより要求データを提供する、そして、
ＵＥの処理回路が、ホストアプリケーションに関連するクライアントアプリケーションを実行するように設定され、それにより要求データに応答してユーザデータを提供する、先の４つの実施形態の通信システム。
【０１６１】
Ｄ１９．ホストコンピュータ、基地局及びユーザ機器（ＵＥ）を含む通信システムにおいて実施される方法であって、
ホストコンピュータにおいて、ＵＥから基地局に送信されたユーザデータを受信することであって、ＵＥが、本明細書で開示されるＵＥステップのうちのいずれかのＵＥステップのうちのステップのいずれかを実行する、ユーザデータを受信することを含む方法。
【０１６２】
Ｄ２０．ＵＥにおいて、ユーザデータを基地局に提供することをさらに含む、先の実施形態の方法。
【０１６３】
Ｄ２１．ＵＥにおいて、クライアントアプリケーションを実行し、それにより、送信されることになるユーザデータを提供することと、
ホストコンピュータにおいて、クライアントアプリケーションに関連するホストアプリケーションを実行することをさらに含む先の２つの実施形態の方法。
【０１６４】
Ｄ２２．ＵＥにおいて、クライアントアプリケーションを実行することと、
ＵＥにおいて、クライアントアプリケーションへの入力データを受信することであって、入力データは、クライアントアプリケーションに関連するホストアプリケーションを実行することによってホストコンピュータにおいて提供される、入力データを受信することをさらに含み、
送信されることになるユーザデータが、入力データに応答してクライアントアプリケーションによって提供される先の３つの実施形態の方法。
【０１６５】
Ｄ２３．ユーザ機器（ＵＥ）から基地局への送信に由来するユーザデータを受信するように設定された通信インターフェースを備えたホストコンピュータを含む通信システムであって、基地局が、無線インターフェース及び処理回路を備え、基地局の処理回路は、本明細書で開示される基地局ステップのうちのいずれかの基地局ステップのうちのステップのいずれかを実行するように設定される、通信システム。
【０１６６】
Ｄ２４．基地局をさらに含む、先の実施形態の通信システム。
【０１６７】
Ｄ２５．基地局と通信するように設定されるＵＥをさらに含む、先の２つの実施形態の通信システム。
【０１６８】
Ｄ２６．ホストコンピュータの処理回路が、ホストアプリケーションを実行するように設定され、
ＵＥが、ホストアプリケーションに関連するクライアントアプリケーションを実行するように設定され、それにより、ホストコンピュータによって受信されることになるユーザデータを提供する先の３つの実施形態の通信システム。
【０１６９】
Ｄ２７．ホストコンピュータ、基地局及びユーザ機器（ＵＥ）を含む通信システムにおいて実施される方法であって、
ホストコンピュータにおいて、基地局がＵＥから受信した送信に由来するユーザデータを、基地局から、受信することであって、ＵＥが、本明細書で開示されるＵＥステップのうちのいずれかのＵＥステップのうちのステップのいずれかを実行する、ユーザデータを受信することを含む方法。
【０１７０】
Ｄ２８．基地局において、ＵＥからユーザデータを受信することをさらに含む、先の実施形態の方法。
【０１７１】
Ｄ２９．基地局において、受信されたユーザデータのホストコンピュータへの送信を開始することをさらに含む、先の２つの実施形態の方法。           
【０１７２】
本明細書で提示される解決法は、勿論、本開示の解決法の本質的特徴を逸脱することなく、本明細書に具体的に明記されたもの以外のやり方で実施され得る。本実施形態は、あらゆる点で、例示であり非制限的なものとして考えられるべきであり、添付の特許請求の範囲の意味及び等価範囲内にあるすべての変更は、そこに包含されるものである。
【図１】
2021503776.tif 000004
【図２】
2021503776.tif 000005
【図３】
2021503776.tif 000006
【図４】
2021503776.tif 000007
【図５】
2021503776.tif 000008
【図６】
2021503776.tif 000009
【図７】
2021503776.tif 000010
【図８】
2021503776.tif 000011
【図９】
2021503776.tif 000012
【図１０】
2021503776.tif 000013
【図１１】
2021503776.tif 000014
【図１２】
2021503776.tif 000015
【図１３】
2021503776.tif 000016
【図１４】
2021503776.tif 000017
【図１５】
2021503776.tif 000018
【図１６】
2021503776.tif 000019
【図１７】
2021503776.tif 000020
【図１８】
2021503776.tif 000021
【国際調査報告】
2021503776.tif 000022
2021503776.tif 000023